(57)【要約】  通信システム（１００）においては、セル（１２１，１２２）ごとに自セルの識別情報に基づく周波数（ｆ１，ｆ２）により自セルの各無線端末（１３１，１３２）への共通パイロット信号が第１タイミング（ｔ１）で送信される。無線基地局（１１１）は、第１タイミング（ｔ１）で共通パイロット信号を送信し、第１タイミング（ｔ１）とは異なる第２タイミング（ｔ２）で、自セル（１２１）の無線端末（１３１）への個別パイロット信号と、自セル（１２１）の無線端末（１３１）への制御信号と、を異なる周波数（ｆ１〜ｆ３）により送信する。無線端末（１３１）は、無線基地局（１１１）によって送信された個別パイロット信号に基づいて、無線基地局（１１１）によって送信された制御信号を復調する。
2014027409.tif 000002
【特許請求の範囲】
【請求項１】
セルごとに自セルの識別情報に基づく周波数により自セルの各無線端末への共通パイロット信号が第１タイミングで送信される通信システムにおいて、
前記第１タイミングで前記共通パイロット信号を送信し、前記第１タイミングとは異なる第２タイミングで、自セルの無線端末への個別パイロット信号と、前記自セルの無線端末への制御信号と、を異なる周波数により同時に送信する無線基地局と、
前記無線基地局によって送信された個別パイロット信号に基づいて、前記無線基地局によって送信された前記制御信号を復調する無線端末と、
を含むことを特徴とする通信システム。
【請求項２】
前記無線基地局は、前記個別パイロット信号と、前記制御信号と、を隣接する周波数により送信することを特徴とする請求項１に記載の通信システム。
【請求項３】
前記第２タイミングは、各セルにおいて前記共通パイロット信号が送信されないタイミングであることを特徴とする請求項１に記載の通信システム。
【請求項４】
前記無線基地局は、前記個別パイロット信号と、前記制御信号の一部と、を隣接する周波数により送信することを特徴とする請求項１に記載の通信システム。
【請求項５】
前記無線基地局は、前記自セルの無線端末へのデータ信号を送信するとともに、前記データ信号の送信に関するパラメータを含む前記制御信号を送信し、
前記無線端末は、前記制御信号の復調結果に基づいて、前記無線基地局によって送信されたデータ信号を受信することを特徴とする請求項１〜４のいずれか一つに記載の通信システム。
【請求項６】
前記無線基地局は、空間多重送信によって前記制御信号を送信することを特徴とする請求項１〜５のいずれか一つに記載の通信システム。
【請求項７】
前記無線基地局は、前記無線基地局との間の無線特性に応じた変調方式を用いて前記制御信号を送信し、高次の変調方式を用いる前記制御信号ほど優先的に、前記第２タイミングのうちの前記個別パイロット信号と同時の無線リソースにより送信することを特徴とする請求項１〜６のいずれか一つに記載の通信システム。
【請求項８】
前記無線基地局は、ＱＰＳＫ（Ｑｕａｄｒａｔｕｒｅ  Ｐｈａｓｅ  Ｓｈｉｆｔ  Ｋｅｙｉｎｇ：四位相偏移変調）、１６ＱＡＭ（Ｑｕａｄｒａｔｕｒｅ  Ａｍｐｌｉｔｕｄｅ  Ｍｏｄｕｌａｔｉｏｎ：直交振幅変調）、６４ＱＡＭ、２５６ＱＡＭのいずれかで変調した前記制御信号を送信することを特徴とする請求項１〜７のいずれか一つに記載の通信システム。
【請求項９】
セルごとに自セルの識別情報に基づく周波数により自セルの各無線端末への共通パイロット信号が第１タイミングで送信される通信システムの無線基地局において、
前記第１タイミングで前記共通パイロット信号を送信し、
前記第１タイミングとは異なる第２タイミングで、自セルの無線端末への個別パイロット信号と、前記自セルの無線端末への制御信号と、を異なる周波数により同時に送信する、
ことを特徴とする無線基地局。
【請求項１０】
セルごとに自セルの識別情報に基づく周波数により自セルの各無線端末への共通パイロット信号が第１タイミングで送信される通信システムの無線端末において、
自セルの無線基地局によって前記第１タイミングで送信される前記共通パイロット信号を受信し、
前記無線基地局によって前記第１タイミングとは異なる第２タイミングで異なる周波数により同時に送信される、自端末への個別パイロット信号と、自端末への制御信号と、を受信し、
受信した前記個別パイロット信号に基づいて、受信した前記制御信号を復調する、
ことを特徴とする無線端末。
【請求項１１】
セルごとに自セルの識別情報に基づく周波数により自セルの各無線端末への共通パイロット信号が第１タイミングで送信される通信システムの通信方法において、
無線基地局が、前記第１タイミングで前記共通パイロット信号を送信し、
前記無線基地局が、前記第１タイミングとは異なる第２タイミングで、自セルの無線端末への個別パイロット信号と、前記自セルの無線端末への制御信号と、を異なる周波数により同時に送信し、
前記自セルの無線端末が、前記無線基地局によって送信された個別パイロット信号に基づいて、前記無線基地局によって送信された制御信号を復調する、
ことを特徴とする通信方法。
【発明の詳細な説明】
【技術分野】
【０００１】
本発明は、通信システム、無線基地局、無線端末および通信方法に関する。
【背景技術】
【０００２】
無線通信システムの仕様を策定する標準化団体の一つである３ＧＰＰ（３ｒｄ  Ｇｅｎｅｒａｔｉｏｎ  Ｐａｒｔｎｅｒｓｈｉｐ  Ｐｒｏｊｅｃｔ）において、移動通信システムのひとつであるＬＴＥ（Ｌｏｎｇ  Ｔｅｒｍ  Ｅｖｏｌｕｔｉｏｎ）を発展させたＬＴＥ−Ａ（ＬＴＥ−Ａｄｖａｎｃｅｄ）の検討作業と仕様策定作業が行われている。ＬＴＥ−Ａの基本機能の仕様化作業は完了したが、更なる性能向上と多様化するシステム運用シナリオへの対応能力向上を目的とし、新たな機能の導入が提案され議論が継続しシステムが進化し続けている。これまでのＬＴＥ−Ａ仕様では、送信されるデータ信号の無線送信に直接関係する無線パラメータ（データ信号が配置されている周波数領域の位置、変調方式、符号化率等）を伝送するための無線制御信号は、データ信号とは異なる時間領域で送信されていた。別の言葉で表現すると、無線制御信号の送信に使用される無線リソース領域とデータ信号の送信に使用される無線リソース領域は時間多重されていた。最新の議論においては、無線制御信号の送信に利用できる無線リソースの量を状況に応じて増加させることが可能になるようにするために、データ信号の送信に使用される領域にも、無線制御信号を配置できるようにすることが検討されている。しかしながら、データ信号の送信のための領域の一部を無線制御信号の送信のためにも使用できるようにすると、データ信号送信のために使用できる無線リソース量が減少してしまう。したがって、データ信号送信のために使用される領域上で送信する無線制御信号には、高効率送信方法を適用し、使用される無線リソースの量を最小限にすることが望まれる。そのための方法の一つが、高次変調度の変調方式を無線制御信号に適用することであり、パイロット信号の付近に配置したダウンリンクの制御信号に高次の変調方式を適用することが知られている（たとえば、下記特許文献１参照。）。１６ＱＡＭや６４ＱＡＭ等の位相成分だけでなく振幅成分も利用して情報ビットのマッピングが行われるような高次変調方式が適用された無線信号を受信し復調するにあたっては、復調特性を良くすることが必要である。通常、複数のパイロット信号に対するチャネル推定結果を補間処理することにより、データ信号を復調するためのチャネル推定情報を得て、データ信号の復調を行うが、パイロット信号近傍に配置された信号の復調特性は良くなる。
【先行技術文献】
【特許文献】
【０００３】
【特許文献１】国際公開第２００７／０５２７６７号
【発明の概要】
【発明が解決しようとする課題】
【０００４】
しかしながら、たとえばＬＴＥ並びにＬＴＥ−Ａのように、無線セル間で共通パイロット信号の送信周波数シフトが行われると、パイロット信号近傍に高次変調度の変調方式が適用された無線制御信号を配置しても、隣接セルの共通パイロット信号からの干渉により制御信号の受信特性が劣化する場合があり、パイロット信号近傍に復調対象信号を配置することによる復調特性向上という恩恵を十分受けることができなくなる。【０００５】
本発明は、上述した問題点を解消するため、制御信号の受信特性を向上させることができる通信システム、無線基地局、無線端末および通信方法を提供することを目的とする。
【課題を解決するための手段】
【０００６】
上述した課題を解決し、目的を達成するため、本発明の一側面によれば、セルごとに自セルの識別情報に基づく周波数により自セルの各無線端末への共通パイロット信号が第１タイミングで送信される通信システムの通信方法において、無線基地局が、前記第１タイミングで前記共通パイロット信号を送信し、前記無線基地局が、前記第１タイミングとは異なる第２タイミングで、自セルの無線端末への個別パイロット信号と、前記自セルの無線端末への制御信号と、を異なる周波数により送信し、前記自セルの無線端末が、前記無線基地局によって送信された個別パイロット信号に基づいて、前記無線基地局によって送信された前記制御信号を復調する通信システム、無線基地局、無線端末および通信方法が提案される。
【発明の効果】
【０００７】
本発明の一側面によれば、隣接する無線基地局からのいかなる共通パイロット信号からの干渉の影響も低減できる。また、復調に利用するパイロット信号の近傍に無線制御信号を配置することで、無線制御信号の受信特性を向上させることができるという効果を奏する。
【図面の簡単な説明】
【０００８】
【図１】図１は、実施の形態にかかる通信システムの一例を示す図である。
【図２】図２は、ダウンリンクの無線リソースの一例を示す図である。
【図３−１】図３−１は、無線基地局の通信部の構成の一例を示す図である。
【図３−２】図３−２は、図３−１に示した無線基地局の通信部における信号の流れの一例を示す図である。
【図４−１】図４−１は、無線端末の通信部の構成の一例を示す図である。
【図４−２】図４−２は、図４−１に示した無線端末の通信部における信号の流れの一例を示す図である。
【図５】図５は、無線基地局の配置選択部の動作の一例を示すフローチャートである。
【図６】図６は、セル配置の一例を示す図である。
【図７−１】図７−１は、共通パイロット信号の周波数シフトの一例を示す図（その１）である。
【図７−２】図７−２は、共通パイロット信号の周波数シフトの一例を示す図（その２）である。
【図７−３】図７−３は、共通パイロット信号の周波数シフトの一例を示す図（その３）である。
【図７−４】図７−４は、共通パイロット信号の周波数シフトの一例を示す図（その４）である。
【図７−５】図７−５は、共通パイロット信号の周波数シフトの一例を示す図（その５）である。
【図７−６】図７−６は、共通パイロット信号の周波数シフトの一例を示す図（その６）である。
【図８】図８は、無線基地局のハードウェア構成の一例を示す図である。
【図９】図９は、無線端末のハードウェア構成の一例を示す図である。
【発明を実施するための形態】
【０００９】
以下に添付図面を参照して、本発明にかかる通信システム、無線基地局、無線端末および通信方法の実施の形態を詳細に説明する。
【００１０】
（実施の形態）
図１は、実施の形態にかかる通信システムの一例を示す図である。図１に示すように、通信システム１００は、無線基地局１１１，１１２と、無線端末１３１，１３２と、を含んでいる。セル１２１は無線基地局１１１のセルである。セル１２２は無線基地局１１２のセルである。
【００１１】
無線端末１３１は、セル１２１に在圏し、無線基地局１１１に接続している。ただし、無線端末１３１は、セル１２２にも在圏しており、無線基地局１１２から送信される無線信号の干渉を受ける。無線端末１３２は、セル１２２に在圏し、無線基地局１１２に接続している。
【００１２】
無線基地局１１１は、無線端末１３１に対してダウンリンクの無線信号を送信する。無線基地局１１２は、無線端末１３２に対してダウンリンクの無線信号を送信する。無線基地局１１１，１１２が送信する無線信号には、たとえばＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）を用いることができる。
【００１３】
信号配置１４１は、無線基地局１１１がセル１２１において送信する無線信号の信号配置を示している。信号配置１４２は、無線基地局１１２がセル１２２において送信する無線信号の信号配置を示している。信号配置１４１，１４２において、「Ｃ」は、ダウンリンクの共通パイロット信号が配置された無線リソースを示している。また、「Ｄ」は、ダウンリンクの個別パイロット信号が配置された無線リソースを示している。また、×印は、ダウンリンクの制御信号が配置された無線リソースを示している。
【００１４】
共通パイロット信号および個別パイロット信号は、たとえば、無線通信の同期やチャネル等化のために用いられるシンボルであり、所定の周期で無線基地局１１１，１１２がそれぞれ自セルへ送信する信号である。共通パイロット信号は、セル内の各無線端末に共通して送信されるパイロット信号である。個別パイロット信号は、セル内の各無線端末に個別に送信されるパイロット信号である。
【００１５】
通信システム１００においては、セルごとに、それぞれ自セルの識別情報に基づく周波数によって自セルの各無線端末への共通パイロット信号が第１タイミングｔ１で送信される周波数シフトが行われる。たとえば、無線基地局１１１，１１２の識別情報がそれぞれ識別情報＃１，＃２であるとする。また、識別情報＃１，＃２に基づく周波数がそれぞれ周波数ｆ１，ｆ２（ｆ１≠ｆ２）であるとする。
【００１６】
この場合は、無線基地局１１１は、第１タイミングｔ１において、自セルの識別情報＃１に基づく周波数ｆ１によって共通パイロット信号を送信する。一方、無線基地局１１２は、無線基地局１１１と同じ第１タイミングｔ１において、自セルの識別情報＃２に基づく周波数ｆ２によって共通パイロット信号を送信する。
【００１７】
また、無線基地局１１１は、第１タイミングｔ１とは異なる第２タイミングｔ２で、自セルの無線端末（たとえば無線端末１３１）への個別パイロット信号と、自セルの無線端末への制御信号と、を異なる周波数により同時に送信する。具体的には、無線基地局１１２は、自セルの無線端末への個別パイロット信号を周波数ｆ１，ｆ３によって送信する。また、無線基地局１１１は、自セルの無線端末（たとえば無線端末１３２）への制御信号を周波数ｆ２によって送信する。
【００１８】
このように、無線基地局１１１は、各セルにおいて共通パイロット信号が送信される第１タイミングｔ１とは異なる第２タイミングｔ２でダウンリンクの制御信号を送信する。これにより、セル１２２などの隣接セルにおいて共通パイロット信号がいずれの周波数で送信されても、隣接セルの共通パイロット信号による自セルの制御信号への干渉を抑えることができる。このため、無線端末１３１における制御信号の受信特性を向上させることができる。
【００１９】
また、無線端末１３１への制御信号を送信する第２タイミングｔ２は、無線端末１３１への個別パイロット信号を送信するタイミングでもある。これにより、無線端末１３１が受信する個別パイロット信号と制御信号とのチャネル特性が近くなり、個別パイロット信号のチャネル推定結果に基づく制御信号の復調精度が向上する。このため、無線端末１３１における制御信号の受信特性を向上させることができる。
【００２０】
図１に示した例ではセル１２１，１２２がそれぞれ無線基地局１１１，１１２によって形成される場合について説明したが、セル１２１，１２２は１つの無線基地局によって形成されるセル（セクタ）であってもよい。また、通信システム１００には３つ以上のセルが含まれていてもよい。
【００２１】
また、図１に示した例ではセル１２１において制御信号を個別パイロット信号と同時に送信する場合について説明したが、セル１２２においても制御信号を個別パイロット信号と同時に送信するようにしてもよい。これにより、無線端末１３２における制御信号の受信特性も向上させることができる。
【００２２】
図２は、ダウンリンクの無線リソースの一例を示す図である。図２に示す物理リソースブロック２００は、たとえばセル１２１の無線ダウンリンク区間における１個の物理リソースブロック（ＰＲＢ：Ｐｈｙｓｉｃａｌ  Ｒｅｓｏｕｒｃｅ  Ｂｌｏｃｋ）である。
【００２３】
物理リソースブロック２００の縦軸方向は、長さ１［ｍｓ］のサブフレームを単位とする時間リソースを示している。１サブフレームには１４個（１２個でもよい）のＯＦＤＭシンボルが含まれている。物理リソースブロック２００の横軸方向は、１２個のサブキャリアを単位とする周波数リソースを示している。
【００２４】
物理リソースブロック２００において、先頭のＮ個のＯＦＤＭシンボル（先頭区間ＳＦ１）には、アップリンクのデータ信号に対する応答信号（たとえばＡＣＫまたはＮＡＣＫ）や、ダウンリンクの制御信号が配置される。ダウンリンクの制御信号には、たとえば、ダウンリンクのデータ信号の通知情報や、アップリンクのデータ信号の送信の指示情報などが含まれる。
【００２５】
また、ダウンリンクの制御信号には、たとえばＰＤＣＣＨ（Ｐｈｙｓｉｃａｌ  Ｄｏｗｎｌｉｎｋ  Ｃｏｎｔｒｏｌ  Ｃｈａｎｎｅｌ：物理下りリンク制御チャネル）が用いられる。ＰＤＣＣＨは、データ信号の送信に関連する情報を含む物理層（Ｌａｙｅｒ  １）レベルのダウンリンクの制御信号である。
【００２６】
データ信号の送信に関するパラメータ等は、当該データ信号に関連づけられたダウンリンクの制御信号の中に格納され、対象のデータ信号と同じダウンリンクのサブフレームを用いて無線端末に送信される。データ信号の送信に関するパラメータは、たとえば、各無線端末向けのデータ信号が周波数領域上のどの部分で送信されるかの情報や、データ信号に適用されている変調方式や符号化率ならびにデータ送信にかかわるＨＡＲＱ（Ｈｙｂｒｉｄ  Ａｕｔｏｍａｔｉｃ  Ｒｅｐｅａｔ  Ｒｅｑｕｅｓｔ）のパラメータである。
【００２７】
また、ダウンリンクの制御信号およびデータ信号の復調のために共通パイロット信号が使用される。共通パイロット信号の周波数軸での位置（サブキャリア）は、共通パイロットが送信されるセルの識別情報（認識番号）の値で一意に決まる値に基づく周波数シフトが行われる。これにより、隣接するセル間で、共通パイロットの衝突が発生しないようにすることができる。セルの識別情報は、たとえばＰＣＩ（Ｐｈｙｓｉｃａｌ  Ｃｅｌｌ  ＩＤ）である。
【００２８】
なお、図２に示す例ではＮ＝３だが、Ｎはたとえば１や２でもよい。また、Ｎの値はダウンリンクの各サブフレームで異なる値であってもよい。Ｎの値は、たとえば、ダウンリンクの各サブフレームの先頭ＯＦＤＭシンボル上で送信されるＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ：物理制御フォーマット指示チャネル）などの制御信号を用いて無線基地局１１１から無線端末１３１へ通知される。
【００２９】
物理リソースブロック２００において、「Ｃ」は、共通パイロット信号が配置されるリソースエレメントを示している。「Ｄ」は、個別パイロット信号が配置されるリソースエレメントを示している。「ｄ」は、ＰＤＳＣＨ（Ｐｈｙｓｉｃａｌ  Ｄｏｗｎｌｉｎｋ  Ｓｈａｒｅｄ  Ｃｈａｎｎｅｌ：物理下りリンク共有チャネル）などのデータ信号が配置されるリソースエレメントを示している。
【００３０】
物理リソースブロック２００の先頭区間ＳＦ１以外の部分には、ＰＤＳＣＨなどのダウンリンクのデータ信号が配置される。上位層（たとえばＬａｙｅｒ２やＬａｙｅｒ３）レベルの制御情報は、データ信号の中に格納されて送信される。ＬＴＥにおけるダウンリンクの制御信号は、変調方式としてはＱＰＳＫ等が適用され、送信ダイバシティ方式を用いて無線基地局の送信アンテナから送信される。
【００３１】
Ｅ−ＰＤＣＣＨ（Ｅｎｈａｎｃｅｄ−Ｐｈｙｓｉｃａｌ  Ｄｏｗｎｌｉｎｋ  Ｃｏｎｔｒｏｌ  Ｃｈａｎｎｅｌ：拡張物理下りリンク制御チャネル）は、物理リソースブロック２００の先頭区間ＳＦ１以外の部分に配置されて送信されるダウンリンクの制御信号である。これにより、ダウンリンクの制御信号を配置可能な無線リソースの容量を拡張することができる。また、セル間での干渉制御技術を、データ信号だけでなくダウンリンクの制御信号にも適用することが可能になる。
【００３２】
また、Ｅ−ＰＤＣＣＨには、高次変調方式や空間多重方式を適用することができる。高次変調方式は、たとえば、ＱＰＳＫ（Ｑｕａｄｒａｔｕｒｅ  Ｐｈａｓｅ  Ｓｈｉｆｔ  Ｋｅｙｉｎｇ：四位相偏移変調）、１６ＱＡＭ（Ｑｕａｄｒａｔｕｒｅ  Ａｍｐｌｉｔｕｄｅ  Ｍｏｄｕｌａｔｉｏｎ：直交振幅変調）、６４ＱＡＭ、２５６ＱＡＭである。空間多重方式は、たとえばＭＩＭＯ（Ｍｕｌｔｉｐｌｅ  Ｉｎｐｕｔ  Ｍｕｌｔｉｐｌｅ  Ｏｕｔｐｕｔ：多元入力多元出力）である。これにより、Ｅ−ＰＤＣＣＨを少ない無線リソースで送信することができるため、データ信号を配置可能な無線リソースの容量の減少を抑えることができる。
【００３３】
Ｅ−ＰＤＣＣＨの復調には、共通パイロット信号ではなく個別パイロット信号が使用される。このため、無線端末ごとにまたはＥ−ＰＤＣＣＨごとに異なるアンテナ間空間行列を演算することが可能である。
【００３４】
×印を付したリソースエレメント２１１〜２１４は、Ｅ−ＰＤＣＣＨが配置されるリソースエレメントを示している。リソースエレメント２１１〜２１４に示すように、Ｅ−ＰＤＣＣＨが配置されるサブフレームＳＦ２，ＳＦ３は、各セルにおいて共通チャネル信号が配置されない時間リソースである。これにより、周波数シフトの適用により隣接セルの共通パイロットの周波数リソースがいずれになっても、隣接セルからの共通パイロットによるＥ−ＰＤＣＣＨへの干渉を回避することができる。
【００３５】
さらに、Ｅ−ＰＤＣＣＨが配置されるサブフレームＳＦ２，ＳＦ３は、各セルにおいて共通で個別パイロット信号が配置される時間リソースである。そして、Ｅ−ＰＤＣＣＨが配置されるサブキャリアＳＣ１，ＳＣ２は、各セルにおいて個別パイロット信号が配置される周波数リソースとは異なる周波数リソースである。
【００３６】
これにより、Ｅ−ＰＤＣＣＨの時間リソースが個別パイロット信号の時間リソースと同じになり、個別パイロット信号に基づくＥ−ＰＤＣＣＨのチャネル推定精度を向上させることができる。このため、Ｅ−ＰＤＣＣＨに１６ＱＡＭ，６４ＱＡＭ等の高次変調方式や空間多重送信方式を適用してもＥ−ＰＤＣＣＨの復調特性を向上させることができる。
【００３７】
また、無線基地局１１１は、個別パイロット信号と、制御信号の一部（たとえばＥ−ＰＤＣＣＨ）と、を隣接する周波数に配置して送信する。これにより、個別パイロット信号に基づくＥ−ＰＤＣＣＨのチャネル推定精度をさらに向上させることができる。
【００３８】
また、各セルにおいて、個別パイロット信号には周波数シフトが適用されない。このため、自セルにおいてＥ−ＰＤＣＣＨと個別パイロット信号との周波数リソースをずらしておくことにより、隣接セルからの個別パイロット信号によるＥ−ＰＤＣＣＨへの干渉も回避することができる。
【００３９】
このように、無線基地局１１１は、隣接セルからの共通パイロット信号および個別パイロット信号による干渉を受けないリソースエレメント２１１〜２１４にＥ−ＰＤＣＣＨを配置する。これにより、無線端末１３１におけるＥ−ＰＤＣＣＨによるダウンリンクの制御信号の受信特性を向上させることができる。
【００４０】
なお、図２で示す例によれば、Ｅ−ＰＤＣＣＨのためのリソースエレメント２１１〜２１４が物理リソースブロック２００に２４個存在する。たとえばＥ−ＰＤＣＣＨに１６ＱＡＭを適用する場合は、９６ビット長の符号化後の情報ビットを２４個のリソースエレメント２１１〜２１４にマッピングして送信可能となる。
【００４１】
ＬＴＥにおいては、ＰＤＣＣＨのサイズは４種類あり、最小のものが最も高い頻度で使用されることが解析結果により示されている。この最小のＰＤＣＣＨでは７２ビット長の符号化後情報ビットを送信しており、２４個のリソースエレメント２１１〜２１４には１６ＱＡＭが適用されたダウンリンクの制御信号を１個マッピングすることが可能である。
【００４２】
また、個別パイロット信号が配置される領域同士の間隔は、コヒーレント帯域幅の約１／２としてもよい。たとえば、図２に示す物理リソースブロック２００においては、個別パイロット信号が配置される領域同士の間隔は、３サブキャリアとなっている。
【００４３】
図３−１は、無線基地局の通信部の構成の一例を示す図である。図３−２は、図３−１に示した無線基地局の通信部における信号の流れの一例を示す図である。図３−１，図３−２に示すように、無線基地局１１１は、符号化部３０１と、変調部３０２と、配置選択部３０３と、符号化部３０４と、変調部３０５と、符号化部３０６と、変調部３０７と、周波数多重部３０８と、時間多重部３０９と、を備えている。また、無線基地局１１１は、無線送信部３１０と、送信アンテナ３１１と、受信アンテナ３１２と、無線受信部３１３と、パイロット信号処理部３１４と、復調部３１５と、復号部３１６と、制御信号抽出部３１７と、を備えている。
【００４４】
符号化部３０１は、入力されたデータ信号を符号化する。そして、符号化部３０１は、符号化したデータ信号を変調部３０２へ送信する。変調部３０２は、符号化部３０１から出力されたデータ信号を変調する。そして、変調部３０２は、変調したデータ信号を周波数多重部３０８へ送信する。
【００４５】
配置選択部３０３は、入力された制御信号を配置（マッピング）する領域を選択する。また、配置選択部３０３は、領域の選択を、制御信号抽出部３１７から出力されたＤＬ無線特性情報に基づいて行う。そして、配置選択部３０３は、領域の選択結果に基づいて、入力された制御信号を符号化部３０４，３０６へ出力する。
【００４６】
具体的には、配置選択部３０３は、データ信号と同じ時間領域に配置する制御信号を符号化部３０４へ出力し、データ信号と異なる時間領域に配置する制御信号を符号化部３０６へ出力する。また、配置選択部３０３は、ＤＬ無線特性情報に基づいて、制御信号に対する変調部３０７による変調方式を設定する。配置選択部３０３の動作については後述する（たとえば図５参照）。
【００４７】
符号化部３０４，３０６のそれぞれは、配置選択部３０３から出力された制御信号を符号化する。そして、符号化部３０４，３０６は、符号化した制御信号をそれぞれ変調部３０５，３０７へ出力する。変調部３０５，３０７は、それぞれ符号化部３０４，３０６から出力された制御信号を変調する。そして、変調部３０５，３０７は、変調した制御信号をそれぞれ周波数多重部３０８および時間多重部３０９へ出力する。
【００４８】
周波数多重部３０８は、変調部３０２から出力されたデータ信号と、変調部３０５から出力された制御信号と、を周波数多重する。そして、周波数多重部３０８は、周波数多重した信号を時間多重部３０９へ出力する。
【００４９】
時間多重部３０９は、周波数多重部３０８から出力された信号と、変調部３０７から出力された制御信号と、を時間多重する。そして、時間多重部３０９は、時間多重した信号を無線送信部３１０へ出力する。無線送信部３１０は、時間多重部３０９から出力された信号を、送信アンテナ３１１を介してセル１２１の各無線端末へ無線送信する。
【００５０】
無線受信部３１３は、受信アンテナ３１２を介して、セル１２１の各無線端末から無線送信された信号を受信する。無線受信部３１３は、受信した信号をパイロット信号処理部３１４および復調部３１５へ出力する。
【００５１】
パイロット信号処理部３１４は、無線受信部３１３から出力された信号に含まれるパイロット信号を抽出し、抽出したパイロット信号を復調部３１５へ出力する。復調部３１５は、パイロット信号処理部３１４から出力されたパイロット信号に基づいて、無線受信部３１３から出力された信号を復調する。そして、復調部３１５は、復調した信号を復号部３１６へ出力する。
【００５２】
復号部３１６は、復調部３１５から出力された信号を復号する。そして、復号部３１６は、復号した信号に含まれるデータ信号および制御信号を出力する。復号部３１６から出力された制御信号は制御信号抽出部３１７へ入力される。
【００５３】
制御信号抽出部３１７は、復号部３１６から出力された制御信号を出力する。また、制御信号抽出部３１７は、復号部３１６から出力された制御信号に含まれるＤＬ無線特性情報を抽出する。そして、制御信号抽出部３１７は、抽出したＤＬ無線特性情報を配置選択部３０３へ出力する。
【００５４】
図４−１は、無線端末の通信部の構成の一例を示す図である。図４−２は、図４−１に示した無線端末の通信部における信号の流れの一例を示す図である。図４−１，図４−２に示すように、無線端末１３１は、受信アンテナ４０１と、無線受信部４０２と、パイロット信号処理部４０３と、無線特性測定部４０４と、時間分離部４０５と、制御信号検出／復調／復号部４０６と、周波数分離部４０７と、を備えている。また、無線端末１３１は、制御信号検出／復調／復号部４０８と、データ信号復調／復号部４０９と、符号化部４１０と、変調部４１１と、符号化部４１２と、変調部４１３と、切換部４１４と、無線送信部４１５と、送信アンテナ４１６と、を備えている。
【００５５】
無線受信部４０２は、受信アンテナ４０１を介して、無線基地局１１１から無線送信された信号を受信する。そして、無線受信部４０２は、受信した信号をパイロット信号処理部４０３および時間分離部４０５へ出力する。
【００５６】
パイロット信号処理部４０３は、無線受信部４０２から出力された信号に含まれるパイロット信号を抽出する。そして、パイロット信号処理部４０３は、抽出したパイロット信号を無線特性測定部４０４、制御信号検出／復調／復号部４０６、制御信号検出／復調／復号部４０８およびデータ信号復調／復号部４０９へ出力する。
【００５７】
無線特性測定部４０４は、パイロット信号処理部４０３から出力されたパイロット信号に基づいて、無線基地局１１１から無線端末１３１へのダウンリンクの無線特性を測定する。無線特性測定部４０４が測定する無線特性には、たとえばＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ：信号対干渉雑音比）などを用いることができる。無線特性測定部４０４は、測定したダウンリンクの無線特性を示すＤＬ無線特性情報を符号化部４１０へ出力する。
【００５８】
時間分離部４０５は、無線受信部４０２から出力された信号を時間分離する。時間分離部４０５は、時間分離した各信号をそれぞれ制御信号検出／復調／復号部４０６および周波数分離部４０７へ出力する。具体的には、時間分離部４０５は、時間分離した各信号のうちの、制御信号のみがマッピングされた信号を制御信号検出／復調／復号部４０６へ出力する。また、時間分離部４０５は、時間分離した各信号のうちの、データ信号および制御信号がマッピングされた信号を周波数分離部４０７へ出力する。
【００５９】
制御信号検出／復調／復号部４０６は、パイロット信号処理部４０３から出力されたパイロット信号に基づいて、時間分離部４０５から出力された信号から制御信号を検出し、検出した制御信号の復調および復号を行う。そして、制御信号検出／復調／復号部４０６は、復号した制御信号を出力する。制御信号検出／復調／復号部４０６から出力された制御信号はデータ信号復調／復号部４０９へ入力される。
【００６０】
周波数分離部４０７は、時間分離部４０５から出力された信号を周波数分離する。そして、周波数分離部４０７は、周波数分離によって得られた制御信号を制御信号検出／復調／復号部４０８へ出力する。また、周波数分離部４０７は、周波数分離によって得られたデータ信号をデータ信号復調／復号部４０９へ出力する。
【００６１】
制御信号検出／復調／復号部４０８は、パイロット信号処理部４０３から出力されたパイロット信号に基づいて、周波数分離部４０７から出力された制御信号を検出し、検出した制御信号の復調および復号を行う。そして、制御信号検出／復調／復号部４０８は、復号した制御信号を出力する。制御信号検出／復調／復号部４０８から出力された制御信号はデータ信号復調／復号部４０９へ入力される。
【００６２】
データ信号復調／復号部４０９は、周波数分離部４０７から出力されたデータ信号の復調および復号を行う。具体的には、データ信号復調／復号部４０９は、パイロット信号処理部４０３から出力されたパイロット信号と、制御信号検出／復調／復号部４０６，４０８から出力された各制御信号と、に基づいて復調と復号を行う。そして、データ信号復調／復号部４０９は、復号したデータ信号を出力する。
【００６３】
符号化部４１０は、入力された制御信号を符号化する。また、符号化部４１０は、符号化する制御信号に、無線特性測定部４０４から出力されたＤＬ無線特性情報を格納する。そして、符号化部４１０は、符号化した制御信号を変調部４１１へ出力する。
【００６４】
変調部４１１は、符号化部４１０から出力された制御信号を変調する。そして、変調部４１１は、変調した制御信号を切換部４１４へ出力する。符号化部４１２は、入力されたデータ信号を符号化する。そして、符号化部４１２は、符号化したデータ信号を変調部４１３へ出力する。変調部４１３は、符号化部４１２から出力されたデータ信号を変調する。そして、変調部４１３は、変調したデータ信号を切換部４１４へ出力する。
【００６５】
切換部４１４は、変調部４１１から出力された制御信号と、変調部４１３から出力されたデータ信号と、を切り換えながら無線送信部４１５へ出力する。無線送信部４１５は、切換部４１４から出力された信号を、送信アンテナ４１６を介して無線基地局１１１へ無線送信する。
【００６６】
図５は、無線基地局の配置選択部の動作の一例を示すフローチャートである。無線基地局１１１の配置選択部３０３は、無線端末１３１へのダウンリンクについて、たとえば以下の各ステップを実行する。まず、配置選択部３０３は、無線端末１３１のダウンリンクの無線特性を取得する（ステップＳ５０１）。無線端末１３１のダウンリンクの無線特性は、たとえば無線端末１３１から受信した制御信号に含まれるＤＬ無線特性情報によって取得することができる。
【００６７】
つぎに、配置選択部３０３は、ステップＳ５０１によって取得した無線特性が第１基準値以上か否かを判断する（ステップＳ５０２）。無線特性が第１基準値以上である場合（ステップＳ５０２：Ｙｅｓ）は、配置選択部３０３は、無線特性が第２基準値以上であるか否かを判断する（ステップＳ５０３）。第２基準値は第１基準値より大きい値である。
【００６８】
ステップＳ５０３において、無線特性が第２基準値以上である場合（ステップＳ５０３：Ｙｅｓ）は、配置選択部３０３は、制御信号の変調方式を６４ＱＡＭに設定し（ステップＳ５０４）、ステップＳ５０６へ移行する。無線特性が第２基準値未満である場合（ステップＳ５０３：Ｎｏ）は、配置選択部３０３は、制御信号の変調方式を１６ＱＡＭに設定する（ステップＳ５０５）。
【００６９】
つぎに、配置選択部３０３は、制御信号を制御信号リソース内の特定部分にマッピングし（ステップＳ５０６）、一連のマッピング動作を終了する。特定部分は、各セルにおいて共通パイロット信号が送信されず、かつ自セルの個別パイロット信号が送信される時間であって、自セルの個別パイロット信号と異なる周波数の無線リソースである。特定部分は、たとえば図２に示したリソースエレメント２１１〜２１４である。
【００７０】
ステップＳ５０２において、無線特性が第１基準値未満である場合（ステップＳ５０２：Ｎｏ）は、配置選択部３０３は、制御信号の変調方式をＱＰＳＫに設定する（ステップＳ５０７）。つぎに、配置選択部３０３は、無線特性が第１基準値以上の他の制御信号のマッピング処理がすべて終了したか否かを判断し（ステップＳ５０８）、第１基準値以上の他の制御信号のマッピング処理がすべて終了するまで待つ（ステップＳ５０８：Ｎｏのループ）。
【００７１】
ステップＳ５０８において、第１基準値以上の他の制御信号のマッピング処理がすべて終了すると（ステップＳ５０８：Ｙｅｓ）、配置選択部３０３は、制御信号リソース内の特定部分に空きがあるか否かを判断する（ステップＳ５０９）。特定部分に空きがある場合（ステップＳ５０９：Ｙｅｓ）は、配置選択部３０３はステップＳ５０６へ移行する。
【００７２】
ステップＳ５０９において、特定部分に空きがない場合（ステップＳ５０９：Ｎｏ）は、配置選択部３０３は、制御信号を制御信号リソース内の特定部分以外の部分にマッピングし（ステップＳ５１０）、一連のマッピング動作を終了する。特定部分以外の部分は、たとえば、各セルにおいて共通パイロット信号が送信される時間の無線リソースや、各セルにおいて共通パイロット信号が送信されず、かつ自セルの個別パイロット信号も送信されない時間の無線リソースである。
【００７３】
以上の各ステップにより、配置選択部３０３は、ＤＬ無線特性情報に基づいて、制御信号に対する変調部３０７による変調方式を設定することができる。また、配置選択部３０３は、たとえばＱＰＳＫに比べて高次の６４ＱＡＭや１６ＱＡＭを適用する制御信号については優先的に特定部分にマッピングし、高次の変調方式を適用する制御信号の受信特性の劣化を抑えることができる。
【００７４】
このように、無線基地局１１１は、無線基地局１１１と無線端末１３１との間の無線特性に応じた変調方式を用いて制御信号を送信する。そして、無線基地局１１１は、高次（多値）の変調方式を用いる制御信号ほど優先的に、共通パイロットが送信されない第２タイミングのうちの個別パイロット信号と同時の無線リソースにより送信する。これにより、無線特性の良好な無線端末１３１に対する制御信号に高次の変調方式を用いてリソースの使用効率を向上させるとともに、制御信号の受信特性の劣化を抑えることができる。
【００７５】
図６は、セル配置の一例を示す図である。図６に示す通信システム６００は、無線基地局６１０，６２０，６３０，６４０を含んでいる。無線基地局６１０は、それぞれ識別情報＃１〜＃３のセル６１１〜６１３を形成している。無線基地局６２０は、それぞれ識別情報＃４〜＃６のセル６２１〜６２３を形成している。無線基地局６３０は、それぞれ識別情報＃１〜＃３のセル６３１〜６３３を形成している。無線基地局６４０は、それぞれ識別情報＃４〜＃６のセル６４１〜６４３を形成している。
【００７６】
図７−１〜図７−６は、共通パイロット信号の周波数シフトの一例を示す図である。図７−１〜図７−６に示す物理リソースブロック７０１〜７０６は、それぞれ識別情報が＃１〜＃６であるセルのダウンリンクにおける物理リソースブロックを示している。たとえば、物理リソースブロック７０１は、図６に示したセル６１１，６３１における物理リソースブロックを示している。物理リソースブロック７０２は、図６に示したセル６１２，６３２における物理リソースブロックを示している。
【００７７】
物理リソースブロック７０１〜７０６の「Ｃ」は、共通パイロット信号が配置される無線リソースを示している。また、物理リソースブロック７０１〜７０６における共通パイロット信号以外の信号の配置については図示を省略している。
【００７８】
物理リソースブロック７０１〜７０６に示すように、通信システム６００の各セル（セル６１１〜６１３，６２１〜６２３，６３１〜６３３，６４１〜６４３）においては、同じ時間リソースによって共通パイロット信号が送信される。また、通信システム６００の各セルにおいては、自セルの識別情報に基づく周波数リソースによって共通パイロット信号が送信される。
【００７９】
たとえば、通信システム６００においては、セルＩＤ（識別情報）を６で除算した場合の剰余に対して各周波数リソースが対応付けられている。そして、通信システム６００の各セルは、自セルのセルＩＤを６で除算した場合の剰余に対応する周波数リソースによって共通パイロット信号を送信する。
【００８０】
このように、通信システム６００の各セルにおいて共通パイロット信号の周波数シフトを行うことにより、隣接セル同士の共通パイロット信号の干渉を抑えることができる。たとえばセル６１１とセル６２１は互いに隣接しているが、それぞれ識別情報＃１，＃４に基づく異なる周波数で共通パイロット信号が送信されるため干渉を抑えることができる。
【００８１】
上述した無線基地局１１１は、たとえば図６に示した通信システム６００の無線基地局６１０，６２０，６３０，６４０の少なくともいずれかに適用することができる。上述した無線端末１３１は、たとえば図６に示した通信システム６００の各セルの少なくともいずれかに在圏する無線端末に適用することができる。
【００８２】
また、無線基地局１１１および無線端末１３１は、大セル（たとえばマクロセル）の中に小セル（たとえばフェムトセル）が存在する通信システムの各セルにも適用することができる。このような通信システムにおいては、大セルのトラフィック負荷を小セルに逃がすために大セル内の無線端末を小セルに強制的に接続させた場合に、無線端末が大セルから送信されるパイロット信号から受ける干渉の影響が大きくなる。また、このような通信システムにおいては、セル配置が複雑となるためパイロット信号のセル間干渉の制御が困難となる。これに対して、無線基地局１１１および無線端末１３１を適用することにより、パイロット信号から受ける干渉の影響を抑えることができる。
【００８３】
図８は、無線基地局のハードウェア構成の一例を示す図である。上述した無線基地局１１１は、たとえば図８に示す通信装置８００によって実現することができる。通信装置８００は、ＣＰＵ８０１と、メモリ８０２と、ユーザインタフェース８０３と、有線通信インタフェース８０４と、無線通信インタフェース８０５と、を備えている。ＣＰＵ８０１、メモリ８０２、ユーザインタフェース８０３、有線通信インタフェース８０４および無線通信インタフェース８０５は、バス８０９によって接続されている。
【００８４】
ＣＰＵ８０１（Ｃｅｎｔｒａｌ  Ｐｒｏｃｅｓｓｉｎｇ  Ｕｎｉｔ）は、通信装置８００の全体の制御を司る。また、通信装置８００はＣＰＵ８０１を複数備えていてもよい。メモリ８０２には、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、ＣＰＵ８０１のワークエリアとして使用される。補助メモリは、たとえば磁気ディスク、光ディスク、フラッシュメモリなどの不揮発メモリである。補助メモリには、通信装置８００を動作させる各種のプログラムが記憶されている。補助メモリに記憶されたプログラムは、メインメモリにロードされてＣＰＵ８０１によって実行される。
【００８５】
ユーザインタフェース８０３は、たとえば、ユーザからの操作入力を受け付ける入力デバイスや、ユーザへ情報を出力する出力デバイスなどを含む。入力デバイスは、たとえばキー（たとえばキーボード）やリモコンなどによって実現することができる。出力デバイスは、たとえばディスプレイやスピーカなどによって実現することができる。また、タッチパネルなどによって入力デバイスおよび出力デバイスを実現してもよい。ユーザインタフェース８０３は、ＣＰＵ８０１によって制御される。
【００８６】
有線通信インタフェース８０４は、有線によって通信装置８００の外部（たとえば移動体通信網などの基幹ネットワーク）との間で通信を行う通信インタフェースである。有線通信インタフェース８０４は、ＣＰＵ８０１によって制御される。無線通信インタフェース８０５は、無線によって通信装置８００の外部（たとえば無線端末１３１）との間で通信を行う通信インタフェースである。無線通信インタフェース８０５は、ＣＰＵ８０１によって制御される。
【００８７】
図３−１，図３−２に示した無線送信部３１０、送信アンテナ３１１、受信アンテナ３１２および無線受信部３１３は、たとえば無線通信インタフェース８０５により実現することができる。図３−１，図３−２に示したその他の各処理部は、たとえばＣＰＵ８０１により実現することができる。
【００８８】
図９は、無線端末のハードウェア構成の一例を示す図である。上述した無線端末１３１は、たとえば図９に示す通信装置９００によって実現することができる。通信装置９００は、ＣＰＵ９０１と、メモリ９０２と、ユーザインタフェース９０３と、無線通信インタフェース９０４と、を備えている。ＣＰＵ９０１、メモリ９０２、ユーザインタフェース９０３および無線通信インタフェース９０４は、バス９０９によって接続されている。
【００８９】
ＣＰＵ９０１、メモリ９０２、ユーザインタフェース９０３および無線通信インタフェース９０４は、それぞれ図８に示したＣＰＵ８０１、メモリ８０２、ユーザインタフェース８０３および無線通信インタフェース８０５と同様である。ただし、無線通信インタフェース９０４は、たとえば、無線によって通信装置９００の外部（たとえば無線基地局１１１）との間で通信を行う通信インタフェースである。
【００９０】
図４−１，図４−２に示した受信アンテナ４０１、無線受信部４０２、無線送信部４１５および送信アンテナ４１６は、たとえば無線通信インタフェース９０４により実現することができる。図４−１，図４−２に示したその他の各処理部は、たとえばＣＰＵ９０１により実現することができる。
【００９１】
以上説明したように、通信システム、無線基地局、無線端末および通信方法によれば、セル間で共通パイロットを周波数シフトし、共通パイロットが送信されず個別パイロットが送信される時間にダウンリンクの制御信号を送信することができる。これにより、干渉を抑えるとともにチャネル推定精度を向上させ、制御信号の受信特性を向上させることができる。
【００９２】
したがって、たとえば、ダウンリンクの制御信号の送信に高次の変調方式や空間多重送信方式を適用しても、ダウンリンクの制御信号の受信特性の劣化を抑えることができる。このため、ダウンリンクの制御信号の受信特性の劣化を抑えつつ、ダウンリンクの制御信号の無線リソースの使用効率を向上させることができる。
【００９３】
また、個別パイロット信号の配置間隔を小さくしなくてもチャネル推定精度を高くすることができるため、データ信号を配置可能な無線リソースの減少を抑えることができる。
【００９４】
また、個別パイロット信号の送信パワーを高くしなくてもチャネル推定精度を高くすることができる。これにより、無線シンボルを送信する際の送信パワーを時間領域において一定にする場合にも、同一無線シンボル上で送信されるデータ信号の送信パワーを低くしなくても、チャネル推定精度を高くすることができる。このため、データ信号の受信特性の劣化を抑えることができる。
【符号の説明】
【００９５】
１００，６００  通信システム
１１１，１１２，６１０，６２０，６３０，６４０  無線基地局
１２１，１２２，６１１〜６１３，６２１〜６２３，６３１〜６３３，６４１〜６４３  セル
１３１，１３２  無線端末
１４１，１４２  信号配置
２００，７０１〜７０６  物理リソースブロック
２１１〜２１４  リソースエレメント
３０１，３０４，３０６，４１０，４１２  符号化部
３０２，３０５，３０７，４１１，４１３  変調部
３０３  配置選択部
３０８  周波数多重部
３０９  時間多重部
３１０，４１５  無線送信部
３１１，４１６  送信アンテナ
３１２，４０１  受信アンテナ
３１３，４０２  無線受信部
３１４，４０３  パイロット信号処理部
３１５  復調部
３１６  復号部
３１７  制御信号抽出部
４０４  無線特性測定部
４０５  時間分離部
４０６，４０８  制御信号検出／復調／復号部
４０７  周波数分離部
４０９  データ信号復調／復号部
４１４  切換部
８００，９００  通信装置
８０１，９０１  ＣＰＵ
８０２，９０２  メモリ
８０３，９０３  ユーザインタフェース
８０４  有線通信インタフェース
８０５，９０４  無線通信インタフェース
８０９，９０９  バス
【図１】
2014027409.tif 000003
【図２】
2014027409.tif 000004
【図３−１】
2014027409.tif 000005
【図３−２】
2014027409.tif 000006
【図４−１】
2014027409.tif 000007
【図４−２】
2014027409.tif 000008
【図５】
2014027409.tif 000009
【図６】
2014027409.tif 000010
【図７−１】
2014027409.tif 000011
【図７−２】
2014027409.tif 000012
【図７−３】
2014027409.tif 000013
【図７−４】
2014027409.tif 000014
【図７−５】
2014027409.tif 000015
【図７−６】
2014027409.tif 000016
【図８】
2014027409.tif 000017
【図９】
2014027409.tif 000018
【手続補正書】
【提出日】平成27年2月10日(2015.2.10)
【手続補正１】
【補正対象書類名】特許請求の範囲
【補正対象項目名】全文
【補正方法】変更
【補正の内容】
【特許請求の範囲】
【請求項１】
セルごとに自セルの識別情報に基づく周波数により自セルの各無線端末への共通パイロット信号が第１タイミングで送信される通信システムにおいて、
前記第１タイミングで前記共通パイロット信号を送信し、前記第１タイミングとは異なる第２タイミングで、自セルの無線端末への個別パイロット信号と、前記自セルの無線端末への制御信号と、を異なる周波数により同時に送信する無線基地局と、
前記無線基地局によって送信された個別パイロット信号に基づいて、前記無線基地局によって送信された前記制御信号を復調する無線端末と、
を含むことを特徴とする通信システム。
【請求項２】
前記無線基地局は、前記個別パイロット信号と、前記制御信号と、を隣接する周波数により送信することを特徴とする請求項１に記載の通信システム。
【請求項３】
前記無線基地局は、前記個別パイロット信号と、前記制御信号の一部と、を隣接する周波数により送信することを特徴とする請求項１に記載の通信システム。
【請求項４】
前記無線基地局は、前記自セルの無線端末へのデータ信号を送信するとともに、前記データ信号の送信に関するパラメータを含む前記制御信号を送信し、
前記無線端末は、前記制御信号の復調結果に基づいて、前記無線基地局によって送信されたデータ信号を受信することを特徴とする請求項１〜３のいずれか一つに記載の通信システム。
【請求項５】
前記無線基地局は、前記無線基地局との間の無線特性に応じた変調方式を用いて前記制御信号を送信し、高次の変調方式を用いる前記制御信号ほど優先的に、前記第２タイミングのうちの前記個別パイロット信号と同時の無線リソースにより送信することを特徴とする請求項１〜４のいずれか一つに記載の通信システム。
【請求項６】
セルごとに自セルの識別情報に基づく周波数により自セルの各無線端末への共通パイロット信号が第１タイミングで送信される通信システムの無線基地局において、
前記第１タイミングで前記共通パイロット信号を送信し、
前記第１タイミングとは異なる第２タイミングで、自セルの無線端末への個別パイロット信号と、前記自セルの無線端末への制御信号と、を異なる周波数により同時に送信する、
ことを特徴とする無線基地局。
【請求項７】
セルごとに自セルの識別情報に基づく周波数により自セルの各無線端末への共通パイロット信号が第１タイミングで送信される通信システムの無線端末において、
自セルの無線基地局によって前記第１タイミングで送信される前記共通パイロット信号を受信し、
前記無線基地局によって前記第１タイミングとは異なる第２タイミングで異なる周波数により同時に送信される、自端末への個別パイロット信号と、自端末への制御信号と、を受信し、
受信した前記個別パイロット信号に基づいて、受信した前記制御信号を復調する、
ことを特徴とする無線端末。
【請求項８】
セルごとに自セルの識別情報に基づく周波数により自セルの各無線端末への共通パイロット信号が第１タイミングで送信される通信システムの通信方法において、
無線基地局が、前記第１タイミングで前記共通パイロット信号を送信し、
前記無線基地局が、前記第１タイミングとは異なる第２タイミングで、自セルの無線端末への個別パイロット信号と、前記自セルの無線端末への制御信号と、を異なる周波数により同時に送信し、
前記自セルの無線端末が、前記無線基地局によって送信された個別パイロット信号に基づいて、前記無線基地局によって送信された前記制御信号を復調する、
ことを特徴とする通信方法。
【手続補正２】
【補正対象書類名】明細書
【補正対象項目名】全文
【補正方法】変更
【補正の内容】
【発明の詳細な説明】
【技術分野】
【０００１】
本発明は、通信システム、無線基地局、無線端末および通信方法に関する。
【背景技術】
【０００２】
無線通信システムの仕様を策定する標準化団体の一つである３ＧＰＰ（３ｒｄ  Ｇｅｎｅｒａｔｉｏｎ  Ｐａｒｔｎｅｒｓｈｉｐ  Ｐｒｏｊｅｃｔ）において、移動通信システムのひとつであるＬＴＥ（Ｌｏｎｇ  Ｔｅｒｍ  Ｅｖｏｌｕｔｉｏｎ）を発展させたＬＴＥ−Ａ（ＬＴＥ−Ａｄｖａｎｃｅｄ）の検討作業と仕様策定作業が行われている。ＬＴＥ−Ａの基本機能の仕様化作業は完了したが、更なる性能向上と多様化するシステム運用シナリオへの対応能力向上を目的とし、新たな機能の導入が提案され議論が継続しシステムが進化し続けている。これまでのＬＴＥ−Ａ仕様では、送信されるデータ信号の無線送信に直接関係する無線パラメータ（データ信号が配置されている周波数領域の位置、変調方式、符号化率等）を伝送するための無線制御信号は、データ信号とは異なる時間領域で送信されていた。別の言葉で表現すると、無線制御信号の送信に使用される無線リソース領域とデータ信号の送信に使用される無線リソース領域は時間多重されていた。最新の議論においては、無線制御信号の送信に利用できる無線リソースの量を状況に応じて増加させることが可能になるようにするために、データ信号の送信に使用される領域にも、無線制御信号を配置できるようにすることが検討されている。しかしながら、データ信号の送信のための領域の一部を無線制御信号の送信のためにも使用できるようにすると、データ信号送信のために使用できる無線リソース量が減少してしまう。したがって、データ信号送信のために使用される領域上で送信する無線制御信号には、高効率送信方法を適用し、使用される無線リソースの量を最小限にすることが望まれる。そのための方法の一つが、高次変調度の変調方式を無線制御信号に適用することであり、パイロット信号の付近に配置したダウンリンクの制御信号に高次の変調方式を適用することが知られている（たとえば、下記特許文献１参照。）。１６ＱＡＭや６４ＱＡＭ等の位相成分だけでなく振幅成分も利用して情報ビットのマッピングが行われるような高次変調方式が適用された無線信号を受信し復調するにあたっては、復調特性を良くすることが必要である。通常、複数のパイロット信号に対するチャネル推定結果を補間処理することにより、データ信号を復調するためのチャネル推定情報を得て、データ信号の復調を行うが、パイロット信号近傍に配置された信号の復調特性は良くなる。
【先行技術文献】
【特許文献】
【０００３】
【特許文献１】国際公開第２００７／０５２７６７号
【発明の概要】
【発明が解決しようとする課題】
【０００４】
しかしながら、たとえばＬＴＥ並びにＬＴＥ−Ａのように、無線セル間で共通パイロット信号の送信周波数シフトが行われると、パイロット信号近傍に高次変調度の変調方式が適用された無線制御信号を配置しても、隣接セルの共通パイロット信号からの干渉により制御信号の受信特性が劣化する場合があり、パイロット信号近傍に復調対象信号を配置することによる復調特性向上という恩恵を十分受けることができなくなる。
【０００５】
本発明は、上述した問題点を解消するため、制御信号の受信特性を向上させることができる通信システム、無線基地局、無線端末および通信方法を提供することを目的とする。
【課題を解決するための手段】
【０００６】
上述した課題を解決し、目的を達成するため、本発明の一側面によれば、セルごとに自セルの識別情報に基づく周波数により自セルの各無線端末への共通パイロット信号が第１タイミングで送信される通信システムの通信方法において、無線基地局が、前記第１タイミングで前記共通パイロット信号を送信し、前記無線基地局が、前記第１タイミングとは異なる第２タイミングで、自セルの無線端末への個別パイロット信号と、前記自セルの無線端末への制御信号と、を異なる周波数により送信し、前記自セルの無線端末が、前記無線基地局によって送信された個別パイロット信号に基づいて、前記無線基地局によって送信された前記制御信号を復調する通信システム、無線基地局、無線端末および通信方法が提案される。
【発明の効果】
【０００７】
本発明の一側面によれば、隣接する無線基地局からのいかなる共通パイロット信号からの干渉の影響も低減できる。また、復調に利用するパイロット信号の近傍に無線制御信号を配置することで、無線制御信号の受信特性を向上させることができるという効果を奏する。
【図面の簡単な説明】
【０００８】
【図１】図１は、実施の形態にかかる通信システムの一例を示す図である。
【図２】図２は、ダウンリンクの無線リソースの一例を示す図である。
【図３−１】図３−１は、無線基地局の通信部の構成の一例を示す図である。
【図３−２】図３−２は、図３−１に示した無線基地局の通信部における信号の流れの一例を示す図である。
【図４−１】図４−１は、無線端末の通信部の構成の一例を示す図である。
【図４−２】図４−２は、図４−１に示した無線端末の通信部における信号の流れの一例を示す図である。
【図５】図５は、無線基地局の配置選択部の動作の一例を示すフローチャートである。
【図６】図６は、セル配置の一例を示す図である。
【図７−１】図７−１は、共通パイロット信号の周波数シフトの一例を示す図（その１）である。
【図７−２】図７−２は、共通パイロット信号の周波数シフトの一例を示す図（その２）である。
【図７−３】図７−３は、共通パイロット信号の周波数シフトの一例を示す図（その３）である。
【図７−４】図７−４は、共通パイロット信号の周波数シフトの一例を示す図（その４）である。
【図７−５】図７−５は、共通パイロット信号の周波数シフトの一例を示す図（その５）である。
【図７−６】図７−６は、共通パイロット信号の周波数シフトの一例を示す図（その６）である。
【図８】図８は、無線基地局のハードウェア構成の一例を示す図である。
【図９】図９は、無線端末のハードウェア構成の一例を示す図である。
【発明を実施するための形態】
【０００９】
以下に添付図面を参照して、本発明にかかる通信システム、無線基地局、無線端末および通信方法の実施の形態を詳細に説明する。
【００１０】
（実施の形態）
図１は、実施の形態にかかる通信システムの一例を示す図である。図１に示すように、通信システム１００は、無線基地局１１１，１１２と、無線端末１３１，１３２と、を含んでいる。セル１２１は無線基地局１１１のセルである。セル１２２は無線基地局１１２のセルである。
【００１１】
無線端末１３１は、セル１２１に在圏し、無線基地局１１１に接続している。ただし、無線端末１３１は、セル１２２にも在圏しており、無線基地局１１２から送信される無線信号の干渉を受ける。無線端末１３２は、セル１２２に在圏し、無線基地局１１２に接続している。
【００１２】
無線基地局１１１は、無線端末１３１に対してダウンリンクの無線信号を送信する。無線基地局１１２は、無線端末１３２に対してダウンリンクの無線信号を送信する。無線基地局１１１，１１２が送信する無線信号には、たとえばＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）を用いることができる。
【００１３】
信号配置１４１は、無線基地局１１１がセル１２１において送信する無線信号の信号配置を示している。信号配置１４２は、無線基地局１１２がセル１２２において送信する無線信号の信号配置を示している。信号配置１４１，１４２において、「Ｃ」は、ダウンリンクの共通パイロット信号が配置された無線リソースを示している。また、「Ｄ」は、ダウンリンクの個別パイロット信号が配置された無線リソースを示している。また、×印は、ダウンリンクの制御信号が配置された無線リソースを示している。
【００１４】
共通パイロット信号および個別パイロット信号は、たとえば、無線通信の同期やチャネル等化のために用いられるシンボルであり、所定の周期で無線基地局１１１，１１２がそれぞれ自セルへ送信する信号である。共通パイロット信号は、セル内の各無線端末に共通して送信されるパイロット信号である。個別パイロット信号は、セル内の各無線端末に個別に送信されるパイロット信号である。
【００１５】
通信システム１００においては、セルごとに、それぞれ自セルの識別情報に基づく周波数によって自セルの各無線端末への共通パイロット信号が第１タイミングｔ１で送信される周波数シフトが行われる。たとえば、無線基地局１１１，１１２の識別情報がそれぞれ識別情報＃１，＃２であるとする。また、識別情報＃１，＃２に基づく周波数がそれぞれ周波数ｆ１，ｆ２（ｆ１≠ｆ２）であるとする。
【００１６】
この場合は、無線基地局１１１は、第１タイミングｔ１において、自セルの識別情報＃１に基づく周波数ｆ１によって共通パイロット信号を送信する。一方、無線基地局１１２は、無線基地局１１１と同じ第１タイミングｔ１において、自セルの識別情報＃２に基づく周波数ｆ２によって共通パイロット信号を送信する。
【００１７】
また、無線基地局１１１は、第１タイミングｔ１とは異なる第２タイミングｔ２で、自セルの無線端末（たとえば無線端末１３１）への個別パイロット信号と、自セルの無線端末への制御信号と、を異なる周波数により同時に送信する。具体的には、無線基地局１１２は、自セルの無線端末への個別パイロット信号を周波数ｆ１，ｆ３によって送信する。また、無線基地局１１１は、自セルの無線端末（たとえば無線端末１３２）への制御信号を周波数ｆ２によって送信する。
【００１８】
このように、無線基地局１１１は、各セルにおいて共通パイロット信号が送信される第１タイミングｔ１とは異なる第２タイミングｔ２でダウンリンクの制御信号を送信する。これにより、セル１２２などの隣接セルにおいて共通パイロット信号がいずれの周波数で送信されても、隣接セルの共通パイロット信号による自セルの制御信号への干渉を抑えることができる。このため、無線端末１３１における制御信号の受信特性を向上させることができる。
【００１９】
また、無線端末１３１への制御信号を送信する第２タイミングｔ２は、無線端末１３１への個別パイロット信号を送信するタイミングでもある。これにより、無線端末１３１が受信する個別パイロット信号と制御信号とのチャネル特性が近くなり、個別パイロット信号のチャネル推定結果に基づく制御信号の復調精度が向上する。このため、無線端末１３１における制御信号の受信特性を向上させることができる。
【００２０】
図１に示した例ではセル１２１，１２２がそれぞれ無線基地局１１１，１１２によって形成される場合について説明したが、セル１２１，１２２は１つの無線基地局によって形成されるセル（セクタ）であってもよい。また、通信システム１００には３つ以上のセルが含まれていてもよい。
【００２１】
また、図１に示した例ではセル１２１において制御信号を個別パイロット信号と同時に送信する場合について説明したが、セル１２２においても制御信号を個別パイロット信号と同時に送信するようにしてもよい。これにより、無線端末１３２における制御信号の受信特性も向上させることができる。
【００２２】
図２は、ダウンリンクの無線リソースの一例を示す図である。図２に示す物理リソースブロック２００は、たとえばセル１２１の無線ダウンリンク区間における１個の物理リソースブロック（ＰＲＢ：Ｐｈｙｓｉｃａｌ  Ｒｅｓｏｕｒｃｅ  Ｂｌｏｃｋ）である。
【００２３】
物理リソースブロック２００の縦軸方向は、長さ１［ｍｓ］のサブフレームを単位とする時間リソースを示している。１サブフレームには１４個（１２個でもよい）のＯＦＤＭシンボルが含まれている。物理リソースブロック２００の横軸方向は、１２個のサブキャリアを単位とする周波数リソースを示している。
【００２４】
物理リソースブロック２００において、先頭のＮ個のＯＦＤＭシンボル（先頭区間ＳＦ１）には、アップリンクのデータ信号に対する応答信号（たとえばＡＣＫまたはＮＡＣＫ）や、ダウンリンクの制御信号が配置される。ダウンリンクの制御信号には、たとえば、ダウンリンクのデータ信号の通知情報や、アップリンクのデータ信号の送信の指示情報などが含まれる。
【００２５】
また、ダウンリンクの制御信号には、たとえばＰＤＣＣＨ（Ｐｈｙｓｉｃａｌ  Ｄｏｗｎｌｉｎｋ  Ｃｏｎｔｒｏｌ  Ｃｈａｎｎｅｌ：物理下りリンク制御チャネル）が用いられる。ＰＤＣＣＨは、データ信号の送信に関連する情報を含む物理層（Ｌａｙｅｒ  １）レベルのダウンリンクの制御信号である。
【００２６】
データ信号の送信に関するパラメータ等は、当該データ信号に関連づけられたダウンリンクの制御信号の中に格納され、対象のデータ信号と同じダウンリンクのサブフレームを用いて無線端末に送信される。データ信号の送信に関するパラメータは、たとえば、各無線端末向けのデータ信号が周波数領域上のどの部分で送信されるかの情報や、データ信号に適用されている変調方式や符号化率ならびにデータ送信にかかわるＨＡＲＱ（Ｈｙｂｒｉｄ  Ａｕｔｏｍａｔｉｃ  Ｒｅｐｅａｔ  Ｒｅｑｕｅｓｔ）のパラメータである。
【００２７】
また、ダウンリンクの制御信号およびデータ信号の復調のために共通パイロット信号が使用される。共通パイロット信号の周波数軸での位置（サブキャリア）は、共通パイロットが送信されるセルの識別情報（認識番号）の値で一意に決まる値に基づく周波数シフトが行われる。これにより、隣接するセル間で、共通パイロットの衝突が発生しないようにすることができる。セルの識別情報は、たとえばＰＣＩ（Ｐｈｙｓｉｃａｌ  Ｃｅｌｌ  ＩＤ）である。
【００２８】
なお、図２に示す例ではＮ＝３だが、Ｎはたとえば１や２でもよい。また、Ｎの値はダウンリンクの各サブフレームで異なる値であってもよい。Ｎの値は、たとえば、ダウンリンクの各サブフレームの先頭ＯＦＤＭシンボル上で送信されるＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ：物理制御フォーマット指示チャネル）などの制御信号を用いて無線基地局１１１から無線端末１３１へ通知される。
【００２９】
物理リソースブロック２００において、「Ｃ」は、共通パイロット信号が配置されるリソースエレメントを示している。「Ｄ」は、個別パイロット信号が配置されるリソースエレメントを示している。「ｄ」は、ＰＤＳＣＨ（Ｐｈｙｓｉｃａｌ  Ｄｏｗｎｌｉｎｋ  Ｓｈａｒｅｄ  Ｃｈａｎｎｅｌ：物理下りリンク共有チャネル）などのデータ信号が配置されるリソースエレメントを示している。
【００３０】
物理リソースブロック２００の先頭区間ＳＦ１以外の部分には、ＰＤＳＣＨなどのダウンリンクのデータ信号が配置される。上位層（たとえばＬａｙｅｒ２やＬａｙｅｒ３）レベルの制御情報は、データ信号の中に格納されて送信される。ＬＴＥにおけるダウンリンクの制御信号は、変調方式としてはＱＰＳＫ等が適用され、送信ダイバシティ方式を用いて無線基地局の送信アンテナから送信される。
【００３１】
Ｅ−ＰＤＣＣＨ（Ｅｎｈａｎｃｅｄ−Ｐｈｙｓｉｃａｌ  Ｄｏｗｎｌｉｎｋ  Ｃｏｎｔｒｏｌ  Ｃｈａｎｎｅｌ：拡張物理下りリンク制御チャネル）は、物理リソースブロック２００の先頭区間ＳＦ１以外の部分に配置されて送信されるダウンリンクの制御信号である。これにより、ダウンリンクの制御信号を配置可能な無線リソースの容量を拡張することができる。また、セル間での干渉制御技術を、データ信号だけでなくダウンリンクの制御信号にも適用することが可能になる。
【００３２】
また、Ｅ−ＰＤＣＣＨには、高次変調方式や空間多重方式を適用することができる。高次変調方式は、たとえば、ＱＰＳＫ（Ｑｕａｄｒａｔｕｒｅ  Ｐｈａｓｅ  Ｓｈｉｆｔ  Ｋｅｙｉｎｇ：四位相偏移変調）、１６ＱＡＭ（Ｑｕａｄｒａｔｕｒｅ  Ａｍｐｌｉｔｕｄｅ  Ｍｏｄｕｌａｔｉｏｎ：直交振幅変調）、６４ＱＡＭ、２５６ＱＡＭである。空間多重方式は、たとえばＭＩＭＯ（Ｍｕｌｔｉｐｌｅ  Ｉｎｐｕｔ  Ｍｕｌｔｉｐｌｅ  Ｏｕｔｐｕｔ：多元入力多元出力）である。これにより、Ｅ−ＰＤＣＣＨを少ない無線リソースで送信することができるため、データ信号を配置可能な無線リソースの容量の減少を抑えることができる。
【００３３】
Ｅ−ＰＤＣＣＨの復調には、共通パイロット信号ではなく個別パイロット信号が使用される。このため、無線端末ごとにまたはＥ−ＰＤＣＣＨごとに異なるアンテナ間空間行列を演算することが可能である。
【００３４】
×印を付したリソースエレメント２１１〜２１４は、Ｅ−ＰＤＣＣＨが配置されるリソースエレメントを示している。リソースエレメント２１１〜２１４に示すように、Ｅ−ＰＤＣＣＨが配置されるサブフレームＳＦ２，ＳＦ３は、各セルにおいて共通チャネル信号が配置されない時間リソースである。これにより、周波数シフトの適用により隣接セルの共通パイロットの周波数リソースがいずれになっても、隣接セルからの共通パイロットによるＥ−ＰＤＣＣＨへの干渉を回避することができる。
【００３５】
さらに、Ｅ−ＰＤＣＣＨが配置されるサブフレームＳＦ２，ＳＦ３は、各セルにおいて共通で個別パイロット信号が配置される時間リソースである。そして、Ｅ−ＰＤＣＣＨが配置されるサブキャリアＳＣ１，ＳＣ２は、各セルにおいて個別パイロット信号が配置される周波数リソースとは異なる周波数リソースである。
【００３６】
これにより、Ｅ−ＰＤＣＣＨの時間リソースが個別パイロット信号の時間リソースと同じになり、個別パイロット信号に基づくＥ−ＰＤＣＣＨのチャネル推定精度を向上させることができる。このため、Ｅ−ＰＤＣＣＨに１６ＱＡＭ，６４ＱＡＭ等の高次変調方式や空間多重送信方式を適用してもＥ−ＰＤＣＣＨの復調特性を向上させることができる。
【００３７】
また、無線基地局１１１は、個別パイロット信号と、制御信号の一部（たとえばＥ−ＰＤＣＣＨ）と、を隣接する周波数に配置して送信する。これにより、個別パイロット信号に基づくＥ−ＰＤＣＣＨのチャネル推定精度をさらに向上させることができる。
【００３８】
また、各セルにおいて、個別パイロット信号には周波数シフトが適用されない。このため、自セルにおいてＥ−ＰＤＣＣＨと個別パイロット信号との周波数リソースをずらしておくことにより、隣接セルからの個別パイロット信号によるＥ−ＰＤＣＣＨへの干渉も回避することができる。
【００３９】
このように、無線基地局１１１は、隣接セルからの共通パイロット信号および個別パイロット信号による干渉を受けないリソースエレメント２１１〜２１４にＥ−ＰＤＣＣＨを配置する。これにより、無線端末１３１におけるＥ−ＰＤＣＣＨによるダウンリンクの制御信号の受信特性を向上させることができる。
【００４０】
なお、図２で示す例によれば、Ｅ−ＰＤＣＣＨのためのリソースエレメント２１１〜２１４が物理リソースブロック２００に２４個存在する。たとえばＥ−ＰＤＣＣＨに１６ＱＡＭを適用する場合は、９６ビット長の符号化後の情報ビットを２４個のリソースエレメント２１１〜２１４にマッピングして送信可能となる。
【００４１】
ＬＴＥにおいては、ＰＤＣＣＨのサイズは４種類あり、最小のものが最も高い頻度で使用されることが解析結果により示されている。この最小のＰＤＣＣＨでは７２ビット長の符号化後情報ビットを送信しており、２４個のリソースエレメント２１１〜２１４には１６ＱＡＭが適用されたダウンリンクの制御信号を１個マッピングすることが可能である。
【００４２】
また、個別パイロット信号が配置される領域同士の間隔は、コヒーレント帯域幅の約１／２としてもよい。たとえば、図２に示す物理リソースブロック２００においては、個別パイロット信号が配置される領域同士の間隔は、３サブキャリアとなっている。
【００４３】
図３−１は、無線基地局の通信部の構成の一例を示す図である。図３−２は、図３−１に示した無線基地局の通信部における信号の流れの一例を示す図である。図３−１，図３−２に示すように、無線基地局１１１は、符号化部３０１と、変調部３０２と、配置選択部３０３と、符号化部３０４と、変調部３０５と、符号化部３０６と、変調部３０７と、周波数多重部３０８と、時間多重部３０９と、を備えている。また、無線基地局１１１は、無線送信部３１０と、送信アンテナ３１１と、受信アンテナ３１２と、無線受信部３１３と、パイロット信号処理部３１４と、復調部３１５と、復号部３１６と、制御信号抽出部３１７と、を備えている。
【００４４】
符号化部３０１は、入力されたデータ信号を符号化する。そして、符号化部３０１は、符号化したデータ信号を変調部３０２へ送信する。変調部３０２は、符号化部３０１から出力されたデータ信号を変調する。そして、変調部３０２は、変調したデータ信号を周波数多重部３０８へ送信する。
【００４５】
配置選択部３０３は、入力された制御信号を配置（マッピング）する領域を選択する。また、配置選択部３０３は、領域の選択を、制御信号抽出部３１７から出力されたＤＬ無線特性情報に基づいて行う。そして、配置選択部３０３は、領域の選択結果に基づいて、入力された制御信号を符号化部３０４，３０６へ出力する。
【００４６】
具体的には、配置選択部３０３は、データ信号と同じ時間領域に配置する制御信号を符号化部３０４へ出力し、データ信号と異なる時間領域に配置する制御信号を符号化部３０６へ出力する。また、配置選択部３０３は、ＤＬ無線特性情報に基づいて、制御信号に対する変調部３０７による変調方式を設定する。配置選択部３０３の動作については後述する（たとえば図５参照）。
【００４７】
符号化部３０４，３０６のそれぞれは、配置選択部３０３から出力された制御信号を符号化する。そして、符号化部３０４，３０６は、符号化した制御信号をそれぞれ変調部３０５，３０７へ出力する。変調部３０５，３０７は、それぞれ符号化部３０４，３０６から出力された制御信号を変調する。そして、変調部３０５，３０７は、変調した制御信号をそれぞれ周波数多重部３０８および時間多重部３０９へ出力する。
【００４８】
周波数多重部３０８は、変調部３０２から出力されたデータ信号と、変調部３０５から出力された制御信号と、を周波数多重する。そして、周波数多重部３０８は、周波数多重した信号を時間多重部３０９へ出力する。
【００４９】
時間多重部３０９は、周波数多重部３０８から出力された信号と、変調部３０７から出力された制御信号と、を時間多重する。そして、時間多重部３０９は、時間多重した信号を無線送信部３１０へ出力する。無線送信部３１０は、時間多重部３０９から出力された信号を、送信アンテナ３１１を介してセル１２１の各無線端末へ無線送信する。
【００５０】
無線受信部３１３は、受信アンテナ３１２を介して、セル１２１の各無線端末から無線送信された信号を受信する。無線受信部３１３は、受信した信号をパイロット信号処理部３１４および復調部３１５へ出力する。
【００５１】
パイロット信号処理部３１４は、無線受信部３１３から出力された信号に含まれるパイロット信号を抽出し、抽出したパイロット信号を復調部３１５へ出力する。復調部３１５は、パイロット信号処理部３１４から出力されたパイロット信号に基づいて、無線受信部３１３から出力された信号を復調する。そして、復調部３１５は、復調した信号を復号部３１６へ出力する。
【００５２】
復号部３１６は、復調部３１５から出力された信号を復号する。そして、復号部３１６は、復号した信号に含まれるデータ信号および制御信号を出力する。復号部３１６から出力された制御信号は制御信号抽出部３１７へ入力される。
【００５３】
制御信号抽出部３１７は、復号部３１６から出力された制御信号を出力する。また、制御信号抽出部３１７は、復号部３１６から出力された制御信号に含まれるＤＬ無線特性情報を抽出する。そして、制御信号抽出部３１７は、抽出したＤＬ無線特性情報を配置選択部３０３へ出力する。
【００５４】
図４−１は、無線端末の通信部の構成の一例を示す図である。図４−２は、図４−１に示した無線端末の通信部における信号の流れの一例を示す図である。図４−１，図４−２に示すように、無線端末１３１は、受信アンテナ４０１と、無線受信部４０２と、パイロット信号処理部４０３と、無線特性測定部４０４と、時間分離部４０５と、制御信号検出／復調／復号部４０６と、周波数分離部４０７と、を備えている。また、無線端末１３１は、制御信号検出／復調／復号部４０８と、データ信号復調／復号部４０９と、符号化部４１０と、変調部４１１と、符号化部４１２と、変調部４１３と、切換部４１４と、無線送信部４１５と、送信アンテナ４１６と、を備えている。
【００５５】
無線受信部４０２は、受信アンテナ４０１を介して、無線基地局１１１から無線送信された信号を受信する。そして、無線受信部４０２は、受信した信号をパイロット信号処理部４０３および時間分離部４０５へ出力する。
【００５６】
パイロット信号処理部４０３は、無線受信部４０２から出力された信号に含まれるパイロット信号を抽出する。そして、パイロット信号処理部４０３は、抽出したパイロット信号を無線特性測定部４０４、制御信号検出／復調／復号部４０６、制御信号検出／復調／復号部４０８およびデータ信号復調／復号部４０９へ出力する。
【００５７】
無線特性測定部４０４は、パイロット信号処理部４０３から出力されたパイロット信号に基づいて、無線基地局１１１から無線端末１３１へのダウンリンクの無線特性を測定する。無線特性測定部４０４が測定する無線特性には、たとえばＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ：信号対干渉雑音比）などを用いることができる。無線特性測定部４０４は、測定したダウンリンクの無線特性を示すＤＬ無線特性情報を符号化部４１０へ出力する。
【００５８】
時間分離部４０５は、無線受信部４０２から出力された信号を時間分離する。時間分離部４０５は、時間分離した各信号をそれぞれ制御信号検出／復調／復号部４０６および周波数分離部４０７へ出力する。具体的には、時間分離部４０５は、時間分離した各信号のうちの、制御信号のみがマッピングされた信号を制御信号検出／復調／復号部４０６へ出力する。また、時間分離部４０５は、時間分離した各信号のうちの、データ信号および制御信号がマッピングされた信号を周波数分離部４０７へ出力する。
【００５９】
制御信号検出／復調／復号部４０６は、パイロット信号処理部４０３から出力されたパイロット信号に基づいて、時間分離部４０５から出力された信号から制御信号を検出し、検出した制御信号の復調および復号を行う。そして、制御信号検出／復調／復号部４０６は、復号した制御信号を出力する。制御信号検出／復調／復号部４０６から出力された制御信号はデータ信号復調／復号部４０９へ入力される。
【００６０】
周波数分離部４０７は、時間分離部４０５から出力された信号を周波数分離する。そして、周波数分離部４０７は、周波数分離によって得られた制御信号を制御信号検出／復調／復号部４０８へ出力する。また、周波数分離部４０７は、周波数分離によって得られたデータ信号をデータ信号復調／復号部４０９へ出力する。
【００６１】
制御信号検出／復調／復号部４０８は、パイロット信号処理部４０３から出力されたパイロット信号に基づいて、周波数分離部４０７から出力された制御信号を検出し、検出した制御信号の復調および復号を行う。そして、制御信号検出／復調／復号部４０８は、復号した制御信号を出力する。制御信号検出／復調／復号部４０８から出力された制御信号はデータ信号復調／復号部４０９へ入力される。
【００６２】
データ信号復調／復号部４０９は、周波数分離部４０７から出力されたデータ信号の復調および復号を行う。具体的には、データ信号復調／復号部４０９は、パイロット信号処理部４０３から出力されたパイロット信号と、制御信号検出／復調／復号部４０６，４０８から出力された各制御信号と、に基づいて復調と復号を行う。そして、データ信号復調／復号部４０９は、復号したデータ信号を出力する。
【００６３】
符号化部４１０は、入力された制御信号を符号化する。また、符号化部４１０は、符号化する制御信号に、無線特性測定部４０４から出力されたＤＬ無線特性情報を格納する。そして、符号化部４１０は、符号化した制御信号を変調部４１１へ出力する。
【００６４】
変調部４１１は、符号化部４１０から出力された制御信号を変調する。そして、変調部４１１は、変調した制御信号を切換部４１４へ出力する。符号化部４１２は、入力されたデータ信号を符号化する。そして、符号化部４１２は、符号化したデータ信号を変調部４１３へ出力する。変調部４１３は、符号化部４１２から出力されたデータ信号を変調する。そして、変調部４１３は、変調したデータ信号を切換部４１４へ出力する。
【００６５】
切換部４１４は、変調部４１１から出力された制御信号と、変調部４１３から出力されたデータ信号と、を切り換えながら無線送信部４１５へ出力する。無線送信部４１５は、切換部４１４から出力された信号を、送信アンテナ４１６を介して無線基地局１１１へ無線送信する。
【００６６】
図５は、無線基地局の配置選択部の動作の一例を示すフローチャートである。無線基地局１１１の配置選択部３０３は、無線端末１３１へのダウンリンクについて、たとえば以下の各ステップを実行する。まず、配置選択部３０３は、無線端末１３１のダウンリンクの無線特性を取得する（ステップＳ５０１）。無線端末１３１のダウンリンクの無線特性は、たとえば無線端末１３１から受信した制御信号に含まれるＤＬ無線特性情報によって取得することができる。
【００６７】
つぎに、配置選択部３０３は、ステップＳ５０１によって取得した無線特性が第１基準値以上か否かを判断する（ステップＳ５０２）。無線特性が第１基準値以上である場合（ステップＳ５０２：Ｙｅｓ）は、配置選択部３０３は、無線特性が第２基準値以上であるか否かを判断する（ステップＳ５０３）。第２基準値は第１基準値より大きい値である。
【００６８】
ステップＳ５０３において、無線特性が第２基準値以上である場合（ステップＳ５０３：Ｙｅｓ）は、配置選択部３０３は、制御信号の変調方式を６４ＱＡＭに設定し（ステップＳ５０４）、ステップＳ５０６へ移行する。無線特性が第２基準値未満である場合（ステップＳ５０３：Ｎｏ）は、配置選択部３０３は、制御信号の変調方式を１６ＱＡＭに設定する（ステップＳ５０５）。
【００６９】
つぎに、配置選択部３０３は、制御信号を制御信号リソース内の特定部分にマッピングし（ステップＳ５０６）、一連のマッピング動作を終了する。特定部分は、各セルにおいて共通パイロット信号が送信されず、かつ自セルの個別パイロット信号が送信される時間であって、自セルの個別パイロット信号と異なる周波数の無線リソースである。特定部分は、たとえば図２に示したリソースエレメント２１１〜２１４である。
【００７０】
ステップＳ５０２において、無線特性が第１基準値未満である場合（ステップＳ５０２：Ｎｏ）は、配置選択部３０３は、制御信号の変調方式をＱＰＳＫに設定する（ステップＳ５０７）。つぎに、配置選択部３０３は、無線特性が第１基準値以上の他の制御信号のマッピング処理がすべて終了したか否かを判断し（ステップＳ５０８）、第１基準値以上の他の制御信号のマッピング処理がすべて終了するまで待つ（ステップＳ５０８：Ｎｏのループ）。
【００７１】
ステップＳ５０８において、第１基準値以上の他の制御信号のマッピング処理がすべて終了すると（ステップＳ５０８：Ｙｅｓ）、配置選択部３０３は、制御信号リソース内の特定部分に空きがあるか否かを判断する（ステップＳ５０９）。特定部分に空きがある場合（ステップＳ５０９：Ｙｅｓ）は、配置選択部３０３はステップＳ５０６へ移行する。
【００７２】
ステップＳ５０９において、特定部分に空きがない場合（ステップＳ５０９：Ｎｏ）は、配置選択部３０３は、制御信号を制御信号リソース内の特定部分以外の部分にマッピングし（ステップＳ５１０）、一連のマッピング動作を終了する。特定部分以外の部分は、たとえば、各セルにおいて共通パイロット信号が送信される時間の無線リソースや、各セルにおいて共通パイロット信号が送信されず、かつ自セルの個別パイロット信号も送信されない時間の無線リソースである。
【００７３】
以上の各ステップにより、配置選択部３０３は、ＤＬ無線特性情報に基づいて、制御信号に対する変調部３０７による変調方式を設定することができる。また、配置選択部３０３は、たとえばＱＰＳＫに比べて高次の６４ＱＡＭや１６ＱＡＭを適用する制御信号については優先的に特定部分にマッピングし、高次の変調方式を適用する制御信号の受信特性の劣化を抑えることができる。
【００７４】
このように、無線基地局１１１は、無線基地局１１１と無線端末１３１との間の無線特性に応じた変調方式を用いて制御信号を送信する。そして、無線基地局１１１は、高次（多値）の変調方式を用いる制御信号ほど優先的に、共通パイロットが送信されない第２タイミングのうちの個別パイロット信号と同時の無線リソースにより送信する。これにより、無線特性の良好な無線端末１３１に対する制御信号に高次の変調方式を用いてリソースの使用効率を向上させるとともに、制御信号の受信特性の劣化を抑えることができる。
【００７５】
図６は、セル配置の一例を示す図である。図６に示す通信システム６００は、無線基地局６１０，６２０，６３０，６４０を含んでいる。無線基地局６１０は、それぞれ識別情報＃１〜＃３のセル６１１〜６１３を形成している。無線基地局６２０は、それぞれ識別情報＃４〜＃６のセル６２１〜６２３を形成している。無線基地局６３０は、それぞれ識別情報＃１〜＃３のセル６３１〜６３３を形成している。無線基地局６４０は、それぞれ識別情報＃４〜＃６のセル６４１〜６４３を形成している。
【００７６】
図７−１〜図７−６は、共通パイロット信号の周波数シフトの一例を示す図である。図７−１〜図７−６に示す物理リソースブロック７０１〜７０６は、それぞれ識別情報が＃１〜＃６であるセルのダウンリンクにおける物理リソースブロックを示している。たとえば、物理リソースブロック７０１は、図６に示したセル６１１，６３１における物理リソースブロックを示している。物理リソースブロック７０２は、図６に示したセル６１２，６３２における物理リソースブロックを示している。
【００７７】
物理リソースブロック７０１〜７０６の「Ｃ」は、共通パイロット信号が配置される無線リソースを示している。また、物理リソースブロック７０１〜７０６における共通パイロット信号以外の信号の配置については図示を省略している。
【００７８】
物理リソースブロック７０１〜７０６に示すように、通信システム６００の各セル（セル６１１〜６１３，６２１〜６２３，６３１〜６３３，６４１〜６４３）においては、同じ時間リソースによって共通パイロット信号が送信される。また、通信システム６００の各セルにおいては、自セルの識別情報に基づく周波数リソースによって共通パイロット信号が送信される。
【００７９】
たとえば、通信システム６００においては、セルＩＤ（識別情報）を６で除算した場合の剰余に対して各周波数リソースが対応付けられている。そして、通信システム６００の各セルは、自セルのセルＩＤを６で除算した場合の剰余に対応する周波数リソースによって共通パイロット信号を送信する。
【００８０】
このように、通信システム６００の各セルにおいて共通パイロット信号の周波数シフトを行うことにより、隣接セル同士の共通パイロット信号の干渉を抑えることができる。たとえばセル６１１とセル６２１は互いに隣接しているが、それぞれ識別情報＃１，＃４に基づく異なる周波数で共通パイロット信号が送信されるため干渉を抑えることができる。
【００８１】
上述した無線基地局１１１は、たとえば図６に示した通信システム６００の無線基地局６１０，６２０，６３０，６４０の少なくともいずれかに適用することができる。上述した無線端末１３１は、たとえば図６に示した通信システム６００の各セルの少なくともいずれかに在圏する無線端末に適用することができる。
【００８２】
また、無線基地局１１１および無線端末１３１は、大セル（たとえばマクロセル）の中に小セル（たとえばフェムトセル）が存在する通信システムの各セルにも適用することができる。このような通信システムにおいては、大セルのトラフィック負荷を小セルに逃がすために大セル内の無線端末を小セルに強制的に接続させた場合に、無線端末が大セルから送信されるパイロット信号から受ける干渉の影響が大きくなる。また、このような通信システムにおいては、セル配置が複雑となるためパイロット信号のセル間干渉の制御が困難となる。これに対して、無線基地局１１１および無線端末１３１を適用することにより、パイロット信号から受ける干渉の影響を抑えることができる。
【００８３】
図８は、無線基地局のハードウェア構成の一例を示す図である。上述した無線基地局１１１は、たとえば図８に示す通信装置８００によって実現することができる。通信装置８００は、ＣＰＵ８０１と、メモリ８０２と、ユーザインタフェース８０３と、有線通信インタフェース８０４と、無線通信インタフェース８０５と、を備えている。ＣＰＵ８０１、メモリ８０２、ユーザインタフェース８０３、有線通信インタフェース８０４および無線通信インタフェース８０５は、バス８０９によって接続されている。
【００８４】
ＣＰＵ８０１（Ｃｅｎｔｒａｌ  Ｐｒｏｃｅｓｓｉｎｇ  Ｕｎｉｔ）は、通信装置８００の全体の制御を司る。また、通信装置８００はＣＰＵ８０１を複数備えていてもよい。メモリ８０２には、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、ＣＰＵ８０１のワークエリアとして使用される。補助メモリは、たとえば磁気ディスク、光ディスク、フラッシュメモリなどの不揮発メモリである。補助メモリには、通信装置８００を動作させる各種のプログラムが記憶されている。補助メモリに記憶されたプログラムは、メインメモリにロードされてＣＰＵ８０１によって実行される。
【００８５】
ユーザインタフェース８０３は、たとえば、ユーザからの操作入力を受け付ける入力デバイスや、ユーザへ情報を出力する出力デバイスなどを含む。入力デバイスは、たとえばキー（たとえばキーボード）やリモコンなどによって実現することができる。出力デバイスは、たとえばディスプレイやスピーカなどによって実現することができる。また、タッチパネルなどによって入力デバイスおよび出力デバイスを実現してもよい。ユーザインタフェース８０３は、ＣＰＵ８０１によって制御される。
【００８６】
有線通信インタフェース８０４は、有線によって通信装置８００の外部（たとえば移動体通信網などの基幹ネットワーク）との間で通信を行う通信インタフェースである。有線通信インタフェース８０４は、ＣＰＵ８０１によって制御される。無線通信インタフェース８０５は、無線によって通信装置８００の外部（たとえば無線端末１３１）との間で通信を行う通信インタフェースである。無線通信インタフェース８０５は、ＣＰＵ８０１によって制御される。
【００８７】
図３−１，図３−２に示した無線送信部３１０、送信アンテナ３１１、受信アンテナ３１２および無線受信部３１３は、たとえば無線通信インタフェース８０５により実現することができる。図３−１，図３−２に示したその他の各処理部は、たとえばＣＰＵ８０１により実現することができる。
【００８８】
図９は、無線端末のハードウェア構成の一例を示す図である。上述した無線端末１３１は、たとえば図９に示す通信装置９００によって実現することができる。通信装置９００は、ＣＰＵ９０１と、メモリ９０２と、ユーザインタフェース９０３と、無線通信インタフェース９０４と、を備えている。ＣＰＵ９０１、メモリ９０２、ユーザインタフェース９０３および無線通信インタフェース９０４は、バス９０９によって接続されている。
【００８９】
ＣＰＵ９０１、メモリ９０２、ユーザインタフェース９０３および無線通信インタフェース９０４は、それぞれ図８に示したＣＰＵ８０１、メモリ８０２、ユーザインタフェース８０３および無線通信インタフェース８０５と同様である。ただし、無線通信インタフェース９０４は、たとえば、無線によって通信装置９００の外部（たとえば無線基地局１１１）との間で通信を行う通信インタフェースである。
【００９０】
図４−１，図４−２に示した受信アンテナ４０１、無線受信部４０２、無線送信部４１５および送信アンテナ４１６は、たとえば無線通信インタフェース９０４により実現することができる。図４−１，図４−２に示したその他の各処理部は、たとえばＣＰＵ９０１により実現することができる。
【００９１】
以上説明したように、通信システム、無線基地局、無線端末および通信方法によれば、セル間で共通パイロットを周波数シフトし、共通パイロットが送信されず個別パイロットが送信される時間にダウンリンクの制御信号を送信することができる。これにより、干渉を抑えるとともにチャネル推定精度を向上させ、制御信号の受信特性を向上させることができる。
【００９２】
したがって、たとえば、ダウンリンクの制御信号の送信に高次の変調方式や空間多重送信方式を適用しても、ダウンリンクの制御信号の受信特性の劣化を抑えることができる。このため、ダウンリンクの制御信号の受信特性の劣化を抑えつつ、ダウンリンクの制御信号の無線リソースの使用効率を向上させることができる。
【００９３】
また、個別パイロット信号の配置間隔を小さくしなくてもチャネル推定精度を高くすることができるため、データ信号を配置可能な無線リソースの減少を抑えることができる。
【００９４】
また、個別パイロット信号の送信パワーを高くしなくてもチャネル推定精度を高くすることができる。これにより、無線シンボルを送信する際の送信パワーを時間領域において一定にする場合にも、同一無線シンボル上で送信されるデータ信号の送信パワーを低くしなくても、チャネル推定精度を高くすることができる。このため、データ信号の受信特性の劣化を抑えることができる。
【００９５】
上述した実施の形態に関し、さらに以下の付記を開示する。
【００９６】
（付記１）セルごとに自セルの識別情報に基づく周波数により自セルの各無線端末への共通パイロット信号が第１タイミングで送信される通信システムにおいて、
前記第１タイミングで前記共通パイロット信号を送信し、前記第１タイミングとは異なる第２タイミングで、自セルの無線端末への個別パイロット信号と、前記自セルの無線端末への制御信号と、を異なる周波数により同時に送信する無線基地局と、
前記無線基地局によって送信された個別パイロット信号に基づいて、前記無線基地局によって送信された前記制御信号を復調する無線端末と、
を含むことを特徴とする通信システム。
【００９７】
（付記２）前記無線基地局は、前記個別パイロット信号と、前記制御信号と、を隣接する周波数により送信することを特徴とする付記１に記載の通信システム。
【００９８】
（付記３）前記第２タイミングは、各セルにおいて前記共通パイロット信号が送信されないタイミングであることを特徴とする付記１に記載の通信システム。
【００９９】
（付記４）前記無線基地局は、前記個別パイロット信号と、前記制御信号の一部と、を隣接する周波数により送信することを特徴とする付記１に記載の通信システム。
【０１００】
（付記５）前記無線基地局は、前記自セルの無線端末へのデータ信号を送信するとともに、前記データ信号の送信に関するパラメータを含む前記制御信号を送信し、
前記無線端末は、前記制御信号の復調結果に基づいて、前記無線基地局によって送信されたデータ信号を受信することを特徴とする付記１〜４のいずれか一つに記載の通信システム。
【０１０１】
（付記６）前記無線基地局は、空間多重送信によって前記制御信号を送信することを特徴とする付記１〜５のいずれか一つに記載の通信システム。
【０１０２】
（付記７）前記無線基地局は、前記無線基地局との間の無線特性に応じた変調方式を用いて前記制御信号を送信し、高次の変調方式を用いる前記制御信号ほど優先的に、前記第２タイミングのうちの前記個別パイロット信号と同時の無線リソースにより送信することを特徴とする付記１〜６のいずれか一つに記載の通信システム。
【０１０３】
（付記８）前記無線基地局は、ＱＰＳＫ（Ｑｕａｄｒａｔｕｒｅ  Ｐｈａｓｅ  Ｓｈｉｆｔ  Ｋｅｙｉｎｇ：四位相偏移変調）、１６ＱＡＭ（Ｑｕａｄｒａｔｕｒｅ  Ａｍｐｌｉｔｕｄｅ  Ｍｏｄｕｌａｔｉｏｎ：直交振幅変調）、６４ＱＡＭ、２５６ＱＡＭのいずれかで変調した前記制御信号を送信することを特徴とする付記１〜７のいずれか一つに記載の通信システム。
【０１０４】
（付記９）セルごとに自セルの識別情報に基づく周波数により自セルの各無線端末への共通パイロット信号が第１タイミングで送信される通信システムの無線基地局において、
前記第１タイミングで前記共通パイロット信号を送信し、
前記第１タイミングとは異なる第２タイミングで、自セルの無線端末への個別パイロット信号と、前記自セルの無線端末への制御信号と、を異なる周波数により同時に送信する、
ことを特徴とする無線基地局。
【０１０５】
（付記１０）セルごとに自セルの識別情報に基づく周波数により自セルの各無線端末への共通パイロット信号が第１タイミングで送信される通信システムの無線端末において、
自セルの無線基地局によって前記第１タイミングで送信される前記共通パイロット信号を受信し、
前記無線基地局によって前記第１タイミングとは異なる第２タイミングで異なる周波数により同時に送信される、自端末への個別パイロット信号と、自端末への制御信号と、を受信し、
受信した前記個別パイロット信号に基づいて、受信した前記制御信号を復調する、
ことを特徴とする無線端末。
【０１０６】
（付記１１）セルごとに自セルの識別情報に基づく周波数により自セルの各無線端末への共通パイロット信号が第１タイミングで送信される通信システムの通信方法において、
無線基地局が、前記第１タイミングで前記共通パイロット信号を送信し、
前記無線基地局が、前記第１タイミングとは異なる第２タイミングで、自セルの無線端末への個別パイロット信号と、前記自セルの無線端末への制御信号と、を異なる周波数により同時に送信し、
前記自セルの無線端末が、前記無線基地局によって送信された個別パイロット信号に基づいて、前記無線基地局によって送信された前記制御信号を復調する、
ことを特徴とする通信方法。
【符号の説明】
【０１０７】
１００，６００  通信システム
１１１，１１２，６１０，６２０，６３０，６４０  無線基地局
１２１，１２２，６１１〜６１３，６２１〜６２３，６３１〜６３３，６４１〜６４３  セル
１３１，１３２  無線端末
１４１，１４２  信号配置
２００，７０１〜７０６  物理リソースブロック
２１１〜２１４  リソースエレメント
３０１，３０４，３０６，４１０，４１２  符号化部
３０２，３０５，３０７，４１１，４１３  変調部
３０３  配置選択部
３０８  周波数多重部
３０９  時間多重部
３１０，４１５  無線送信部
３１１，４１６  送信アンテナ
３１２，４０１  受信アンテナ
３１３，４０２  無線受信部
３１４，４０３  パイロット信号処理部
３１５  復調部
３１６  復号部
３１７  制御信号抽出部
４０４  無線特性測定部
４０５  時間分離部
４０６，４０８  制御信号検出／復調／復号部
４０７  周波数分離部
４０９  データ信号復調／復号部
４１４  切換部
８００，９００  通信装置
８０１，９０１  ＣＰＵ
８０２，９０２  メモリ
８０３，９０３  ユーザインタフェース
８０４  有線通信インタフェース
８０５，９０４  無線通信インタフェース
８０９，９０９  バス
【手続補正書】
【提出日】平成28年1月25日(2016.1.25)
【手続補正１】
【補正対象書類名】特許請求の範囲
【補正対象項目名】全文
【補正方法】変更
【補正の内容】
【特許請求の範囲】
【請求項１】
無線端末と無線基地局で構成される通信システムにおいて、
セルの識別情報に基づく周波数で、且つ第１タイミングで、無線端末へ共通パイロット信号を送信し、前記第１タイミングとは異なる第２タイミングで、前記無線端末へ個別パイロット信号と制御信号とを異なる周波数で同時に送信する無線基地局と、
前記無線基地局によって送信された前記個別パイロット信号に基づいて、前記無線基地局によって送信された前記制御信号を復調する無線端末と、
を含むことを特徴とする通信システム。
【請求項２】
前記無線基地局は、前記個別パイロット信号と、前記制御信号と、を隣接する周波数により送信することを特徴とする請求項１に記載の通信システム。
【請求項３】
前記無線基地局は、前記個別パイロット信号と、前記制御信号の一部と、を隣接する周波数により送信することを特徴とする請求項１に記載の通信システム。
【請求項４】
前記無線基地局は、前記無線端末へのデータ信号を送信するとともに、前記データ信号の送信に関するパラメータを含む前記制御信号を送信し、
前記無線端末は、前記制御信号の復調結果に基づいて、前記無線基地局によって送信されたデータ信号を受信することを特徴とする請求項１〜３のいずれか一つに記載の通信システム。
【請求項５】
前記無線基地局は、前記無線端末との間の無線特性に応じた変調方式を用いる前記制御信号を前記第２タイミングのうちの前記個別パイロット信号と同時の無線リソースにマッピングして送信することを特徴とする請求項１〜４のいずれか一つに記載の通信システム。
【請求項６】
無線基地局において、
セルの識別情報に基づく周波数で、且つ第１タイミングで、無線端末へ共通パイロット信号を送信し、
前記第１タイミングとは異なる第２タイミングで、前記無線端末へ個別パイロット信号と制御信号とを異なる周波数で同時に送信する通信インタフェースを有する、
ことを特徴とする無線基地局。
【請求項７】
無線端末において、
無線基地局からセルの識別情報に基づく周波数で、且つ第１タイミングで送信された共通パイロット信号を受信し、
前記無線基地局から前記第１タイミングとは異なる第２タイミングで、且つ異なる周波数で同時に送信された個別パイロット信号と制御信号とを受信し、
受信した前記個別パイロット信号に基づいて、受信した前記制御信号を復調する、
ことを特徴とする無線端末。
【請求項８】
無線端末と無線基地局から構成される通信システムの通信方法において、
前記無線基地局が、セルの識別情報に基づく周波数で、且つ第１タイミングで前記無線端末へ共通パイロット信号を送信し、
前記無線基地局が、前記第１タイミングとは異なる第２タイミングで、前記無線端末へ個別パイロット信号と制御信号とを異なる周波数で同時に送信し、
前記無線端末が、前記無線基地局によって送信された前記個別パイロット信号に基づいて、前記無線基地局によって送信された前記制御信号を復調する、
ことを特徴とする通信方法。
【国際調査報告】
2014027409.tif 000019
2014027409.tif 000020